【手続補正書】
【提出日】平成16年10月21日(2004.10.21)
【手続補正１】
【補正対象書類名】明細書
【補正対象項目名】全文
【補正方法】変更
【補正の内容】
【書類名】      明細書
【発明の名称】  分離型スロットマシン
【特許請求の範囲】
【請求項１】  底板と、底板を左右から挟んで相対向する二枚の側板と、側板を挟んで底板と相対向する天板と、底板、側板、天板により形成された方形を背面側から塞ぐ裏板とを有する筺形の本体キャビネットと、
この本体キャビネットの開口部を開閉自在に塞ぐ前扉と、
複数の図柄が表示された回転リール及びこの回転リールを回転させるための駆動モータを有するリールユニットと、
前記回転リールの作動を制御するための主基板とを少なくとも有し、
支持体に少なくとも前記リールユニット及び主基板を設置した交換ユニットを、前記本体キャビネット内部に着脱自在に形成した分離型スロットマシンであって、
前記交換ユニットは、前記本体キャビネットの両側板内側に設けられ、かつ両側板間で連続しない支持部材により、本体キャビネットの開口部内に支持されていることを特徴とする分離型スロットマシン。
【請求項２】  前記支持部材は、前記交換ユニットを載置可能に形成された載置部材としたことを特徴とする請求項１記載の分離型スロットマシン。
【請求項３】  前記支持部材は、前記交換ユニットを前記本体キャビネットの奥行き方向に案内可能に形成された案内部材としたことを特徴とする請求項１記載の分離型スロットマシン。
【請求項４】  前記交換ユニットは、前記本体キャビネットの裏板内側に設けられた支持部材により支持されていることを特徴とする請求項１乃至３記載の分離型スロットマシン。
【請求項５】  前記前扉は、上扉と、下扉とから成り、
前記上扉には係合部の一方が設けられるとともに、前記交換ユニットの支持体には、前記上扉の係合部と回転自在に係合する他の係合部が設けてあり、
前記交換ユニットを前記本体キャビネットに収納した状態で、本体キャビネットの開口上部を前記上扉で開閉可能に形成したことを特徴とする請求項１乃至４記載の分離型スロットマシン。
【発明の詳細な説明】
【０００１】
【発明の属する技術分野】
この発明は、分離型スロットマシン、さらに詳しくは、遊技の部分を担当するリールユニット及び主基板を交換ユニットとして、他の部分から分離可能に形成したスロットマシンであって、筐体の内部空間を上下に分ける中板を設けないものに関する。
【０００２】
【従来の技術】
従来のスロットマシンは、正面側に開口する筺形の本体キャビネットと、本体キャビネットの開口部を開閉自在に塞ぐ前扉とから成り、本体キャビネットの内部に、リールユニット、ホッパーユニット、遊技を司る基板等が固定設置され、全体が構成されていた。
【０００３】
このような、従来のスロットマシンにおいては、遊技内容を変更する際には本体キャビネットまるごと交換しなければならなかった。
【０００４】
【発明が解決しようとする課題】
しかし、上記した従来のスロットマシンにおいては、遊技内容を変更するための台交換の際、遊技を担当しないホッパーユニット等も同時に交換されることとなり、交換に要する費用がかかるだけでなく、資源の無駄となっていたという問題点があった。
【０００５】
そこで、本発明は、上記した従来の技術の有する問題点に鑑みてなされたものであり、その目的とするところは、資源の有効利用を図りつつ、経済性、機能性に優れた分離型スロットマシンを提供することを目的とする。
【０００６】
【課題を解決するための手段】
請求項に記載された発明は、上記した各目的を達成するためになされたものであり、各発明の特徴点を図面に示した発明の実施の形態を用いて、以下に説明する。
なお、かっこ内の符号及び図面番号は、発明の実施の形態において用いた符号及び番号を示し、本発明の技術的範囲を限定するものではない。
【０００７】
（特徴点）
（請求項１）
請求項１記載の発明は、次の点を特徴とする。
すなわち、請求項１記載の発明は、底板(15)と、底板(15)を左右から挟んで相対向する二枚の側板(16)と、側板(16)を挟んで底板(15)と相対向する天板(17)と、底板(15)、側板(16)、天板(17)により形成された方形を背面側から塞ぐ裏板(18)とを有する筺形の本体キャビネット(1)と、この本体キャビネット(1)の開口部(11)を開閉自在に塞ぐ前扉(3)と、複数の図柄が表示された回転リール(23)及びこの回転リール(23)を回転させるための駆動モータを有するリールユニット(22)と、前記回転リール(23)の作動を制御するための主基板とを少なくとも有し、支持体に少なくとも前記リールユニット(22)及び主基板(25)を設置した交換ユニット(2)を、前記本体キャビネット(1)内部に着脱自在に形成した分離型スロットマシンであって、前記交換ユニット(2)は、前記本体キャビネット(1)の両側板(16)内側に設けられ、かつ両側板(16)間で連続しない支持部材(12)により、本体キャビネット(1)の開口部(11)内に支持されていることを特徴とする。
【０００８】
本発明は、分離型スロットマシンとして、リールユニット(22)及び主基板(25)を最低限交換可能に形成し、リールユニット(22)及び主基板(25)を最低限搭載した交換ユニット(2)を、本体キャビネット(1)の側板(16)に設けられた支持部材(12)により支持して、本体キャビネット(1)の開口部(11)内に収納したものである。
【０００９】
なお、本体キャビネット(1)は、前記交換ユニット(2)の他に、例えば、遊技メダルを貯留すると共に払い出すためのホッパーユニット(5)や、スロットマシンに電源を入れるため電源装置などが収納可能となっている。
前記本体キャビネット(1)は、正面側に開口する箱形の筐体であり、側板(16)の内側には、交換ユニット(2)を開口部(11)に収納するための支持部材(12)が設けられている。
【００１０】
前記支持部材(12)は、交換ユニット(2)を開口部(11)内に支持できる形状であればよいが、本発明における支持部材(12)は、本体キャビネット(1)の開口部(11)を完全に上下の空間に仕切る一枚物の板材、あるいは一体的に形成された方形の枠体は含まない。
なお、前記本体キャビネット(1)は、その内部に、側板(16)に設けられた支持部材(12)の他に、他の場所、例えば裏板(18)や天板(17)に設けられた支持部材(12)を有していてもかまわない。
【００１１】
前記交換ユニット(2)は、支持体としての枠体(21)及びリールユニット(22)及び主基板(25)とから構成することができ、他の構成部品、例えば、演出を制御するための副基板などが含まれていてもよい。
支持体としての枠体(21)は、本体キャビネット内部に固定するためのものであり、さらに、リールユニット(22)及び主基板を一体的に取り扱い可能とするものである。この枠体(21)は、リールユニット(22)及び主基板(25)等の機器を設置することが可能な強度を有する枠状の構造体であれば良いものであり、具体的には、例えば、図１に示すように、直方体状の枠構造からなる金属枠のようなものを含むものである。そして、枠体(21)の内部には、複数の仕切り等を設けて、主基板(25)等を配置しやすくしても良いものである。枠体(21)は、例えばクリップなどの固定装置(10)により本体キャビネット内部に固定されると共に、固定装置(10)を解除することにより、本体キャビネット(1)から取り出し可能となっている。
【００１２】
前記交換ユニット(2)は、前記本体キャビネット(1)の二枚の側板(16)に設けられた支持部材(12)により、本体キャビネット(1)の開口部(11)内に支持される。
ここで、「交換ユニット(2)は・・・支持部材(12)により、本体キャビネット(1)の開口部(11)内に支持」とは、交換ユニット(2)の重量を支持部材(12)により支持し、交換ユニット(2)が開口上部(13)に配置されていることであって、交換ユニット(2)の上下方向の位置決めは、支持部材(12)により決定されていることを意味するものである。
【００１３】
以上のように形成することにより、交換ユニット(2)の重量により、交換ユニット(2)の上下方向のぶれを抑えることができる。そして、交換ユニット(2)を支持部材(12)に載せるだけで、交換ユニット(2)の上下方向の位置決めを終了させることができる。このため、本体キャビネット(1)にボルトやねじ等の固定治具を介して、直接、交換ユニット(2)を本体キャビネット(1)に取り付けるようなものと比較して、交換ユニット(2)を簡単に取り付けることができ、交換ユニット(2)の交換作業を容易なものにすることができる。
【００１４】
なお、交換ユニット(2)は、二枚の側板(16)に設けられた支持部材(12)以外の支持部材(12)によっても支持されるように形成してもよい。
前記前扉(3)は、本体キャビネット(1)の開口部(11)を開塞自在に取り付けられており、扉を閉めるとスロットマシンの正面構造となるように形成されているものである。すなわち、回転リール(23)を見ることができる表示窓(32)や、スロットマシンを操作するための操作部(41)等を設けることができるものである。なお、この前扉(3)は、本体キャビネット(1)に固定されていてもよいし、分離可能に形成されていてもよい。さらにまた、この前扉(3)は、上扉(30)、下扉(40)のように上下に二分割して形成することもできる。
【００１５】
前記主基板(25)は、ＲＯＭ、ＲＡＭ、ＣＰＵ等を有し、主として、当選の抽選や回転リール(23)の停止制御など遊技を制御するものである。そして、これを交換すると遊技内容を変更することができる。
また、遊技内容を変更すると、回転リール(23)の図柄や図柄配置を変更する必要もあることから、リールユニット(22)も主基板とセットで交換できるようにしたものである。リールユニット(22)は、表面に複数の図柄が表示される回転リール(23)を複数（例えば３個）有し、各回転リール(23)の回転軸にはこれらを回転させるための駆動モータがそれぞれ設けられている。
【００１６】
本発明によれば、遊技内容を変えたいときには、前扉(3)を開けて交換ユニット(2)を取り外し、新しい交換ユニット(2)を取り付ければ、本体キャビネット(1)をはじめ、遊技内容に直接関係ない部品はそのまま再利用することがてきる。
ところで、本発明に係る分離型スロットマシンは、以下のように形成してもよい。
【００１７】
すなわち、前記前扉(3)は、上扉(30)と下扉(40)とから成り、前記上扉(30)には係合部(6)の一方が設けられるとともに、前記交換ユニット(2)の枠体(21)には、上扉(30)の係合部(6)と回転自在に係合する他方の係合部(6)が設けてあり、交換ユニット(2)を本体キャビネット(1)に収納した状態で、本体キャビネット(1)の開口上部(13)を上扉(30)で開閉可能に形成することができる。このように形成することにより、遊技内容を変更する場合には、上扉(30)を開けて交換ユニット(2)を取り外し、新しい交換ユニット(2)を取り付ければ、ホッパーユニット(5)など、遊技内容に直接関係ない部品はそのまま利用することができる。さらに、上扉(30)をのみを交換して下扉(40)は交換せずにそのまま利用することがてきる。
【００１８】
また、前記上扉(30)の係合部(6)は、あらかじめ交換ユニット(2)の係合部(6)に係合固定されているものとすることができる。このように形成することにより、上扉(30)と交換ユニット(2)は一緒に梱包輸送され、設置時も一体ものとして取り扱うことができる。すなわち、交換ユニット(2)を取り替えるときには必然的に上扉(30)も取り替えられることとなる。
【００１９】
また、前記上扉(30)は、前記交換ユニット(2)の枠体(21)にロックされるロック機構(7)を有し、交換ユニット(2)が本体キャビネット(1)に収納固定された状態で、上扉(30)をロックすることにより、本体キャビネット(1)の開口上部(13)が施錠されるように形成することができる。このように形成することにより、交換ユニット(2)を本体キャビネット(1)内部に収納固定して、上扉(30)を閉めロックすると、上扉(30)は交換ユニット(1)を介して間接的に本体キャビネット(1)に固定されることとなり、本体キャビネット(1)の開口上部(13)を施錠するものとなる。
【００２０】
また、前記下扉(4)に、着脱自在に形成した前パネル(50)を取り付けてもよい。このように形成することにより、遊技変更に際し、前パネル(50)のみを交換して下扉(40)を交換することなくそのまま利用することがてきる。
さらに、本発明に係る分離型スロットマシンは、前記支持部材(12)及び前記交換ユニット(2)のいずれか一方には、前記支持部材(12)及び前記交換ユニット(2)のいずれか他方に向かって開口する開口孔部(101)を備え、前記支持部材(12)及び前記交換ユニット(2)のいずれか他方には、前記開口孔部(101)側に向かって突出して、前記開口孔部(101)に差し込み可能なガイド突起部(102)を備えるものとすることができる。
【００２１】
このように形成すれば、交換ユニット(2)を支持部材(12)の上に載せる際、支持部材(12)及び交換ユニット(2)のいずれか一方に設けた開口孔部(101)に、支持部材(12)及び交換ユニット(2)のいずれか他方に設けたガイド突起部(102)を差し込むことにより、両者の位置決めを、容易に行うことができる。これにより、交換ユニット(2)を支持部材(12)に載せる位置を容易に得ることができ、交換ユニット(2)の取り付け位置を案内することが可能となり、交換ユニット(2)の取り付け作業を容易に行うことができる。
【００２２】
また、上記分離型スロットマシンは、前記本体キャビネット(1)内部に前記交換ユニット(2)を固定するためのロック手段(120)を備え、前記ロック手段(120)は、前記交換ユニット(2)と、前記本体キャビネット(1)との間に設けたものとすることができる。このように形成することにより、ロック手段(120)を介して、交換ユニット(2)と本体キャビネット(1)とを固定することができ、交換ユニット(2)をスロットマシンの内部に固定することができる。
【００２３】
また、前記ロック手段(120)は、前記交換ユニット(2)の左右側面と、それに対応する前記本体キャビネット(1)の内部側面との間に設けてもよい。このように形成することにより、ロック手段(120)を介して、交換ユニット(2)の左右側面と、それに対応する本体キャビネット(1)の内部側面とを固定することができ、交換ユニット(2)の左右をスロットマシンの内部に固定することができる。そして、交換ユニット(2)の相対する面である左右側面を、本体キャビネット(1)に固定しているため、交換ユニット(2)の所定の一面で固定するようなものと比較して、しっかりと固定することができる。
【００２４】
なお、前記分離型スロットマシン(Ｓ)は、その内部に前記交換ユニット(2)を固定するためのロック手段(120)を備え、前記ロック手段(120)は、前記交換ユニット(2)と、前記支持部材(12)との間に設けたものとすることができる。このように形成することにより、ロック手段(120)を介して、交換ユニット(2)と支持部材(12)とを固定することができ、交換ユニット(2)をスロットマシンの内部に固定することができる。
【００２５】
本発明に係る分離型スロットマシン(S)は、前記上扉(30)の下部に回転可能なローラー(210)を固定し、前記ローラー(210)を案内するローラーガイド(220)を前記本体キャビネット(1)の開口上部(13)の内部に設けたものとすることができる。
ここで、前記ローラーガイド(220)は、その上面を前記ローラー(210)が回転しながら移動可能なものであって、ローラー(210)を所定方向に案内するためのものである。一組のローラー(210)及びローラーガイド(220)の取り付け箇所は、１箇所に限定されるものではなく、取り付け場所も限定されるものではない。
【００２６】
このように形成することにより、上扉(30)の下部に固定されたローラー(210)が、本体キャビネット(1)の開口上部(13)の内部に設けたローラーガイド(220)の上を転がりながら移動することができる。このため、上扉(30)により本体キャビネット(1)の支持部材(12)の上側の開口上部(13)を開閉する際、摩擦抵抗を抑えることができ、スムーズに上扉(30)を開方向又は閉方向に移動させることができる。また、ローラーガイド(220)は、ローラー(210)を案内するとともに支持している。このため、ローラー(210)を有する上扉(30)を、ローラーガイド(220)を有する本体キャビネット(1)の開口上部(13)の内部の上下方向の適正位置に配置することができる。これにより、ローラー(210)をローラーガイド(220)に載せるだけで、上扉(30)の上下方向の位置決め作業を終了させることができる。これらにより、上扉(30)の取付作業や、その後の開閉作業を確実且つ容易に行うことができる。
【００２７】
また、本発明に係る分離型スロットマシン(S)は、前記上扉(30)の下部に固定されて回転可能なローラー(210)と、前記支持部材(12)の上面に、上扉(30)の開閉方向に沿って前記ローラー(210)を案内するとともに支持可能なローラーガイド(220)とを備えたものとすることができる。
このように形成することにより、上扉(30)の下部に固定されたローラー(210)が、支持部材(12)の上面に形成されたローラーガイド(220)の上を転がりながら移動することができる。このため、上扉(30)により本体キャビネット(1)の支持部材(12)の上側の開口上部(13)を開閉する際、上扉(30)と支持部材(12)との間の摩擦抵抗を抑えることができ、スムーズに上扉(30)を開方向又は閉方向に移動させることができる。また、ローラーガイド(220)は、ローラー(210)を案内するとともに支持している。このため、ローラー(210)を有する上扉(30)を、ローラーガイド(220)を有する支持部材(12)の上下方向の適正位置に配置することができる。これにより、ローラー(210)をローラーガイド(220)に載せるだけで、上扉(30)の上下方向の位置決め作業を終了させることができる。これらにより、上扉(30)の取付作業や、その後の開閉作業を確実且つ容易に行うことができる。
【００２８】
さらに、本発明に係る分離型スロットマシン(S)は、前記上扉(30)の下部に固定されて回転可能なローラー(210)と、前記交換ユニット(2)を前記本体キャビネット(1)に固定した際に、前記交換ユニット(2)の前記支持体に、前記上扉(30)の開閉方向に沿って前記ローラー(210)を案内するとともに支持可能なローラーガイド(220)とを備えたものとすることができる。
【００２９】
このように形成することにより、支持体（例えば、枠体(21)）を有する交換ユニット(2)を本体キャビネット(1)に固定した後、上扉(30)の下部に固定されたローラー(210)が、交換ユニット(2)の支持体に設けたローラーガイド(220)の上を転がりながら移動することができる。このため、上扉(30)により本体キャビネット(1)の支持部材(12)の上側の開口上部(13)を開閉する際、上扉(30)と支持体との間の摩擦抵抗を抑えることができ、スムーズに上扉(30)を開方向又は閉方向に移動させることができる。また、ローラーガイド(220)は、ローラー(210)を案内するとともに支持している。このため、ローラー(210)を有する上扉(30)を、ローラーガイド(220)を有する支持体の上下方向の適正位置に配置することができる。これにより、ローラー(210)をローラーガイド(220)に載せるだけで、上扉(30)の上下方向の位置決め作業を終了させることができる。これらにより、上扉(30)の取付作業や、その後の開閉作業を確実且つ容易に行うことができる。
【００３０】
また、このように形成した場合、ローラーガイド(220)を本体キャビネット(1)や支持部材(12)に設けるものと比較して、ローラー(210)を設けた上扉(30)と、ローラーガイド(220)を設けた交換ユニット(2)との両者間の上下方向の位置精度を、向上させることができる。これにより、上扉(30)と、交換ユニット(2)内部の回転リール(23)を有するリールユニット(22)との位置精度を、向上させることができる。したがって、回転リール(23)を上扉(30)に対して正確な位置に配置することができ、回転リール(23)の設置位置が、上扉(30)に対してずれることを回避することができる。
【００３１】
さらに、本発明に係る分離型スロットマシン(S)は、前記上扉(30)の下部に固定されて回転可能なローラー(210)と、前記本体キャビネット(1)の内面に、上扉(30)の開閉方向に沿って前記ローラー(210)を案内するとともに支持可能なローラーガイド(220)とを備えたものとすることができる。このように形成することにより、上扉(30)の下部に固定されたローラー(210)が、本体キャビネット(1)の内面に形成されたローラーガイド(220)の上を転がりながら移動することができる。このため、上扉(30)により本体キャビネット(1)の支持部材(12)の上側の開口上部(13)を開閉する際、上扉(30)と本体キャビネット(1)との間の摩擦抵抗を抑えることができ、スムーズに上扉(30)を開方向又は閉方向に移動させることができる。また、ローラーガイド(220)は、ローラー(210)を案内するとともに支持している。このため、ローラー(210)を有する上扉(30)を、ローラーガイド(220)を有する本体キャビネット(1)の上下方向の適正位置に配置することができる。これにより、ローラー(210)をローラーガイド(220)に載せるだけで、上扉(30)の上下方向の位置決め作業を終了させることができる。これらにより、上扉(30)の取付作業や、その後の開閉作業を確実且つ容易に行うことができる。
【００３２】
また、本発明に係る分離型スロットマシン(S)は、前記下扉(40)の下部に固定されて回転可能なローラー(210)と、前記本体キャビネット(1)の内面に、下扉(40)の開閉方向に沿って前記ローラー(210)を案内するとともに支持可能なローラーガイド(220)とを備えたものとすることができる。
このように形成することにより、下扉(40)の下部に固定されたローラー(210)が、本体キャビネット(1)の内面に形成されたローラーガイド(220)の上を転がりながら移動することができる。このため、下扉(40)により本体キャビネット(1)の支持部材(12)の下側の開口下部(14)を開閉する際、下扉(40)と本体キャビネット(1)との間の摩擦抵抗を抑えることができ、スムーズに下扉(40)を開方向又は閉方向に移動させることができる。また、ローラーガイド(220)は、ローラー(210)を案内するとともに支持している。このため、ローラー(210)を有する下扉(40)を、ローラーガイド(220)を有する本体キャビネット(1)の上下方向の適正位置に配置することができる。これにより、ローラー(210)をローラーガイド(220)に載せるだけで、下扉(40)の上下方向の位置決め作業を終了させることができる。これらにより、下扉(40)の取付作業や、その後の開閉作業を確実且つ容易に行うことができる。
【００３３】
さらに、本発明に係る分離型スロットマシン(S)は、前記支持部材(12)よりも上側が形成する開口上部(13)を開閉自在に塞ぐ上扉(30)と、前記支持部材(12)よりも下側が形成する開口下部(14)を開閉自在に塞ぐ下扉(40)とを設け、前記開口下部(14)には、少なくとも、遊技メダルを貯留すると共にメダルを払い出すためのホッパーユニット(5)及び設定変更など店が遊技機の特性を変更するための操作装置を固定し、前記上扉(30)は、本体キャビネット(1)の開口上部(13)を施錠可能に形成すると共に、前記下扉(40)は、本体キャビネット(1)の開口下部(14)を施錠可能に形成し、前記上扉(30)の解錠手段は、前記下扉(40)の解錠手段とは別個に設けたものとすることができる。
【００３４】
前記ホッパーユニット(5)及び操作装置は、メダル詰まり等のトラブル解消や、遊技機の電源スイッチを入れる等、ホールの従業員により頻繁に操作する必要がある一方、前記主基板(25)については、逆に特定の人でなければ操作できないようにすることが望ましい。上記のように形成すれば、頻繁に扉を開ける必要のある開口下部(13)と、交換ユニット(2)が配置されており重要部品の収納された開口上部(14)とを別個に施錠し、かつ別個に解錠することができる。
【００３５】
また、前記下扉(40)を、外部から解錠可能に形成し、前記上扉(30)は、前記下扉(40)を解錠しなければ解錠不能であるように形成することができる。このように形成すれば、上扉(30)の解錠条件を下扉(40)の解錠とすることができる。
そして、前記上扉(30)は、遊技場の集中管理システムによる指令に基づいて解錠されるように形成することができる。
ここで、「遊技場の集中管理システムによる・・解錠」とは、例えば、各スロットマシンの解錠手段をホールコンピュータの管理下におくもの、すなわち、ホールコンピュータを操作し解錠指令を出さなければ、解錠することができないようにするものである。なお、前記集中管理システムは、下扉(30)の解錠についても管理可能であってもかまわない。
【００３６】
このように形成すれば、遊技場の集中管理システムの解錠指令が無いと、たとえ下扉40が解錠されており、上扉(30)の解錠手段が操作可能な状態にあったとしても、上扉30を解錠することができないようにすることができる。
さらに、本発明に係る分離型スロットマシン(S)は、前記上扉（30）の下扉（40）側端部に、下扉（40）の上扉（30）側端部の裏面にまで達する隠し部（34）を設けたものとすることができる。
【００３７】
ここで、「隠し部（34）」は、上扉（30）と一体的に形成してもよく、また、上扉（30）とは別個に形成し、例えばビス等を用いて、上扉（30）に固定してもよい。また、「隠し部（34）」は、プラスチックによって形成してもよく、また、金属によって形成してもよい。このように形成することにより、リールユニット（22）及び主基板等の交換を容易にしつつも、上扉（30）と下扉（40）との間の隙間からドライバー等の工具等を挿入されにくくすることができ、これにより、主基板等にいたずら等をされにくくすることができるのである。
【００３８】
なお、前記隠し部（34）は、金属によって形成することができ、上扉と一体的に形成しすることもできる。
さらに、本発明に係る分離型スロットマシン(S)は、前記天板(17)の内部側に、交換ユニット２を収納する際、奥行き方向への摺動を補助するための、収納ガイド手段(500)を設けたものとすることができる。
【００３９】
ここで、収納ガイド手段(500)は、少なくとも前記天板(17)の内部側すなわち天板(17)の下面に設けられていればよく、交換ユニット２の上面に、天板(17)の収納ガイド手段(500)に対応するように他の収納ガイド手段(500)を設けてもよい。
例えば天板(17)に、奥行き方向にわたって平行して設けた一対のガイドレール(510)とすることができ、このガイドレールに沿って交換ユニット２を奥方向に押し込むことが出きるように形成することができる。あるいは、天板(17)に、交換ユニット２を両サイドから挟み込むことができるガイドローラ(520)を設けてもよい。
【００４０】
また、天板(17)にガイドレール(510)を、交換ユニット２にガイドレール(510)を摺動可能なガイドローラ(520)を設けてもよく、逆に、交換ユニット２にガイドレール(510)を設け、天板(17)にガイドローラ(520)を設けてもよい。
このように形成することにより、交換ユニット２を本体キャビネット１内部に収納する際、真っ直ぐに押し込む事が出きると共に、収納ガイド手段(500)により摺動を補助されるので摩擦抵抗が少なく、より容易に収納できあるいは取り出すことができる。
（請求項２）
請求項２記載の発明は、上記した請求項１記載の発明の特徴点に加え、次の点を特徴とする。
すなわち、請求項２記載の発明は、前記支持部材(12)は、前記交換ユニット(2)を載置可能に形成された載置部材としたことを特徴とする。
【００４１】
本発明及び事項の発明は、支持部材(12)の形態を規定したものである。
本発明においては、支持部材(12)は、交換ユニット(2)をその上に乗せることができる形状であればよく、例えば、二枚の側板(16)の奥行き方向にわたり相対向して設けられた断面Ｌ字型の部材とすることができ、一片を側板(16)に固定し、箱内側に張り出した一片に交換ユニット(2)の左右端部を乗せることができるように形成することができる。この他にも、例えば断面四角形や三角形の角柱としてもよい。さらに、例えば図１２に示すように、支持部材(12)の底部が底板(15)に支持されるような構成のものとすることもできる。
【００４２】
（請求項３）
請求項３記載の発明は、上記した請求項１記載の発明の特徴点に加え、次の点を特徴とする。
すなわち、請求項３記載の発明は、前記支持部材(12)は、前記交換ユニット(2)を前記本体キャビネット(1)の奥行き方向に案内可能に形成された案内部材としたことを特徴とする。
【００４３】
ここで、「交換ユニット(2)を前記本体キャビネット(1)の奥行き方向に案内可能」とは、交換ユニット(2)を本体キャビネット(1)の手前側から奥側に水平方向に真っ直ぐに押し込むことができる意味である。
前記案内部材は、交換ユニット(2)を手前から押し込んだときに、斜めに曲がっていかないための溝部300又は突起部310を有している。そして、交換ユニット(2)にこの溝部又は突起部と係合可能な形状を有する係合部320を設け、溝部300又は突起部310と係合部320とを係合させることにより、交換ユニット(2)が支持部材(12)に支持されるようにすることができる。
【００４４】
本発明における支持部材(12)は、交換ユニット(2)の左右下端部を支持するようにしてもよいし、左右上端部を支持するものとしてもよい。あるいは、両方を支持するように形成してもよい。
（請求項４）
請求項４記載の発明は、上記した請求項１乃至３記載の発明の特徴点に加え、次の点を特徴とする。
【００４５】
すなわち、請求項４記載の発明は、前記交換ユニット(2)は、前記本体キャビネット(1)の裏板(18)内側に設けられた支持部材(12)により支持されていることを特徴とする。
本発明は、支持部材(12)を、裏板(18)内側にも設けたものである。
具体的には、図１０に示すように、支持部材(12)として、裏板(18)に取り付けられる後方支持部材(12A)と、側板(16)に取り付けられる側方支持部材(12B)を設けることができ、あるいは、後方支持部材(12A)と側方支持部材(12B)を一体的に形成してもよい。
【００４６】
なお、側方支持部材(12B)は、載置部材であってもよいし、案内部材であってもよい。また、後方支持部材(12A)を載置部材とし、側方支持部材(12B)を案内部材とすることもできる。
本発明においては、交換ユニット(2)の重量を、側板(16)及び裏板(18)が支えることとなり、支持部材(12)にかかる重量を分散して支持できるので、支持部材(12)を破損しにくくすることができる。
【００４７】
（請求項５）
請求項５記載の発明は、上記した請求項１乃至４記載の発明の特徴点に加え、次の点を特徴とする。
すなわち、請求項５記載の発明は、前記前扉(3)は、本体キャビネット(1)の開口上部(13)を塞ぐ上扉(30)と、本体キャビネット(1)の開口下部(14)を塞ぐ下扉(40)とから成り、前記上扉(30)には係合部(6)の一方が設けられるとともに、前記交換ユニット(2)の支持体(21)には、前記上扉(30)の係合部(6)と回転自在に係合する他の係合部(6)が設けてあり、前記交換ユニット(2)を前記本体キャビネット(1)に収納した状態で、本体キャビネット(1)の開口上部(13)を前記上扉(30)で開閉可能に形成したことを特徴とする。
【００４８】
このように形成することにより、遊技内容を変更する場合には、上扉(30)を開けて交換ユニット(2)を取り外し、新しい交換ユニット(2)を取り付ければ、ホッパーユニット(5)など、遊技内容に直接関係ない部品はそのまま利用することができる。さらに、上扉(30)をのみを交換して下扉(40)は交換せずにそのまま利用することがてきる。
【００４９】
【発明の実施の形態】
本発明の実施の形態を図面に基づき説明する。
（第一の実施の形態）
（図面の説明）
図１乃至図１２は、本発明の第一の実施の形態を示すものである。
【００５０】
図１及び図２は分離型スロットマシンを示す分解斜視図、図３及び図４は係合部６を示す斜視図、図５はロック機構７を示す断面図、図６及び図７は前パネル50の取り付けを示す図、図８は本発明の他の実施の形態を示す図である。図９乃至図１２は、支持部材12の他の例を示す図である。
本実施の形態における分離型スロットマシンは、図１に示すように、大きく分けて、正面側に開口部11を有する本体キャビネット１、本体キャビネット１内部に着脱自在に設けられる交換ユニット２、本体キャビネット１の開口上部13を開閉可能に塞ぐ上扉30、本体キャビネット１の開口下部14を開閉可能に塞ぐ下扉40とから構成されている。
【００５１】
（本体キャビネット１）
本体キャビネット１は、底板15及び側板16及び天板17及び裏板18からなる正面側に開口する筺体であり、高さ方向略中央部には、二つの側板16の奥行き方向にわたって相対向する断面Ｌ字型の支持部材12が一対設けられている。また、底板15には電源ユニット４及びホッパーユニット５が固定されている。
【００５２】
ここで、電源ユニット４は、特に図示しないが電源装置が内装されていると共に、遊技店側が種々の設定を行うためのスイッチ等、店操作部100を有している。
上記電源ユニット４及びホッパーユニット５は、交換ユニット２の交換に際し、必ずしも交換する必要のないものであり、交換時には設置されたままにしておけるようになっているものである。
【００５３】
また、側板16の正面左側の下部には、前記下扉40を係合させ、回転自在に支持するための本体係合部62が、上下方向に間隔をおいて二つ設けられている。
さらに、本体係合部62の対向側の側板16には、下扉40を閉めた際、下扉40をロックするための突出片90（ロック機構７）が、上下方向に間隔をおいて二つ設けられている。
【００５４】
前記支持部材12は、交換ユニット２を本体キャビネット１の開口上部13内に支持するための載置部材であり、交換ユニット２をその上に乗せることができるように形成されている。
具体的には、図１等に示すように、二つの側板16の奥行き方向にわたって相対向して設けられた一対の断面Ｌ字型の部材であって、Ｌ字型の一片を下方に向けて側板16に取り付けてある。なお、図示しないが、これとは逆に、一片を上方に向けて側板16に取り付けても良い。また、二つの片を支える補強プレートを所々に設けてあっても良い。
【００５５】
また、前記支持部材12は、上記した構成によるものの他に、図９乃至図１１に示すような構成とすることもできる。
すなわち、図９に示すように、支持部材12を、側板16の手前側と奥側に分離して設けることができる。
また、図１０(Ａ)(Ｂ)に示すように、支持部材12を、側板16及び裏板18に設けてもよい。図１０(Ａ)は、支持部材12として、裏板18に設ける後方支持部材12Aと、側板16に設ける側方支持部材12Bを設けたものである。図１０(Ｂ)は、前記後方支持部材12Aと側方支持部材12Bを一体的に形成したものである。このようにすれば、支持部材12が交換ユニット２の重量を分散して受けられるので、支持部材12にかかる負担を軽減し、破損等を起こしにくくすることができる。
【００５６】
さらに、図１１に示すように、支持部材12を、底板15に支持させるように形成しても良い。すなわち、支持部材12の側板16との接着面を底板15にまで延長し、側板16との接着面及び底板15との当接面により、支持部材12を支持するものである。この場合の支持部材12は、側板16の奥行き方向にわたって設けても良いし、図９に示すような形状としても良い。あるいは、図１０に示すような形状としてもよい。
【００５７】
この他にも、特に図示しないが、支持部材12を四角柱又は三角柱の角材あるいは管材により形成してもよい。
（支持部材12の他の形態）
ところで、前記支持部材12を、図１２に示すように形成してもよい。すなわち、支持部材12に溝部300又は突起部310を設けて案内部材と成し、一方交換ユニット２には前記溝部300又は突起部310に係合可能な係合部320を設けたものである。
【００５８】
図１２(Ａ)は、支持部材12に溝部300を設けた例である。この場合には、支持部材12を、側板16の奥行き方向にわたって設けた側方支持部材12Bとすると共に、交換ユニット２の底部に左右に張り出して係合部320を設け、この係合部320を支持部材12の溝部300に嵌め込み、スライドさせるようにして着脱することができる。このように形成することにより、交換ユニット２を本体キャビネット１内部に押し込む際、真っ直ぐに押し込むことができ、収納後に位置調整を行う必要がない。
【００５９】
なお、上記した側方支持部材12Bの他に、後方支持部材12Aを設け、図１０(Ａ)に示す構成としてもよい。この場合には、後方支持部材12Aは載置部材とするのが望ましい。また、図１２(Ｂ)に示すように、支持部材12を上下に平行して二対設け、交換ユニット２の底部及び上部に係合部320を設け、交換ユニット２を上下で支持するようにしてもよい。このようにすれば、支持部材12が交換ユニット２の重量を分散して受けられるので、支持部材12にかかる負担を軽減し、破損等を起こしにくくすることができる。
【００６０】
図１２(Ｃ)は、支持部材12に突起部310を設けた例である。この場合には、支持部材12を、側板16の奥行き方向にわたって設けた側方支持部材12Bとすると共に、交換ユニット２の底部に左右に張り出して係合部320を設け、この係合部320を支持部材12の突起部310に引っかけて、スライドさせるようにして着脱することができる。
【００６１】
なお、特に図示しないが、支持部材12と交換ユニット２の係合部320の接触面に、ベアリング等を配置することにより、よりスムーズに収納取り出し作業を行うことができる。
（交換ユニット２）
交換ユニット２は、種々の部品を設置あるいは固定するための支持体としての枠体21と、この枠体21に固定されたリールユニット22及び基板ユニット24とから形成されている。
【００６２】
ここで、リールユニット22は、周囲に複数の図柄を表示した複数の回転リール23と、特に図示しないが、回転リール23を回転させるための駆動モータを有している。また、前記基板ユニット24には、遊技及びスロットマシンの作動を制御するための主基板と、各種演出を行うための副基板が含まれている。
記枠体21の正面左側の縦枠には、前記上扉30を回転自在に係合するための枠体係合部60が、上下方向に間隔をおいて二つ設けられている。
【００６３】
さらに、枠体係合部60の対向側の縦枠には、上扉30を閉めた際、上扉30をロックするための突出片90（ロック機構７）が、上下方向に間隔をおいて二つ設けられている。
交換ユニット２は、本体キャビネット１の支持部材12の上に乗せ、開口上部13内部に収納されるものである。そして、固定装置10により本体キャビネット１に固着される。
【００６４】
（上扉30）
上扉30は、交換ユニット２の枠体21に回転自在かつロック可能に形成されている板状の扉であり、略中央部に前記回転リール23の図柄を正面側から見ることができる図柄表示窓31を有し、周囲に飾り部33を設けてある。そして、種々の表示を行うための表示装置32が設けられているものである。
【００６５】
ここで、前記飾り部33は、ランプ等により形成しても良く、入賞の報知その他の演出時にランプが点滅するようにしてもよい。また、前記表示装置32は、７セグメントＬＥＤ等により数字を表示するものや、特に図示しないが、画像を表示するための液晶画面あるいはＣＲＴなどとしてもよい。
さらに、図２に示すように、上扉30の裏面には、前記枠体係合60部に係合可能な上扉係合部61が上下方向に間隔をおいて二つ設けられており、上扉係合部61の対向側には、ロック機構７が設けられている。
【００６６】
（下扉40）
下扉40は、本体キャビネット１の開口下部14を塞ぐための、上扉30よりも幅厚の扉であり、本体キャビネット１の側板16に回転自在かつロック可能に形成されているものである。
下扉40の上部は、スロットマシンを作動させるための操作部41となっており、下扉40の上面は、閉扉時においては、上扉30よりも前側に突出するようになっている。また、下部には払い出されたメダルを溜めておくためのメダル受け43が形成されており、下扉40の略中央部には、遊技内容その他の表示をするための前パネル50が嵌め込まれている。
【００６７】
前記操作部41としては、下扉40の上面右端にはメダル投入口42及び上面左側に設けられたベットスイッチ、正面側にはスタートスイッチ及びストップスイッチ及び鍵穴44が設けられている。なお、ベットスイッチとは、貯留メダルをメダル投入に代えるためのものであり、スタートスイッチ及びストップスイッチは、回転リール23の回転を開始及び停止させるためのものである。また、鍵穴44は、前扉３を解錠するためのものであり、この穴に所定の鍵を差し込んで回すと、下扉40のロックが解除されるものである。
【００６８】
さらに、図２に示すように、下扉40の裏面側には、前記メダル投入口42から投入されたメダルを誘導しながらメダルの正偽を判断するためのメダルセレクター48が設けられている。そして、下扉40の裏面下部の左右には、種々の音声を出力するためのスピーカ49が設けられている。
また、下扉40の裏面には、前記本体係合部62と係合可能な下扉係合部63が上下方向に間隔をおいて二つ設けられており、下扉係合部63の対向側には、ロック機構７が設けられている。
【００６９】
（上扉30と交換ユニット２の係合及び前パネル50の交換）
ここで、本実施の形態の要点となる部分について、図面に基づき詳細に説明する。
まず、上扉30と交換ユニット２の係合及びロックの詳細について説明する。
図３は、交換ユニット２に上扉30を回転自在に係合する係合部６の詳細を示すものである。
【００７０】
図３に示すように、交換ユニット２の枠体係合部60は、枠体21の縦枠から正面側に突出する張り出し部65と、この張り出し部65の先端に設けられたピン67とからなり、縦枠に上下方向に一定の間隔を置いて並設されている。
一方、上扉30の裏面には、水平方向に突出する板状の張り出し部66にピン穴68を有する上扉係合部61が、前記枠体係合部60に対応するように設けられている。この上扉係合部61は、ピン穴68を前記ピン67に向かって下方向から挿入すると、板状の張り出し部66がピン67の段差部分に引っかかり、枠体係合部60と回転自在に係合されるものである。
【００７１】
なお、上扉係合部61は、図４に示すような形状としても良い。すなわち、張り出し部66の先端を筒状に形成し、これをピン穴68とするものである。
ところで、上扉30と交換ユニット２は、枠体係合部60と上扉係合部61を固着しないで分離可能としてもよいが、係合部６を予め固定しておくようにしても良い。すなわち、搬送時、取り付け時において、上扉30と交換ユニット２を一体にして扱えるようにするものである。というのは、遊技の変更に伴い、例えば回転リール23の数を変更したり、表示装置32の種類を変更する場合もあり、このようなときには上扉30の形状も変える必要があるので、上扉30と交換ユニット２は同時に交換される頻度が高いのである。このように形成すれば、台交換の際、上扉30と交換ユニット２を同時に取り外し又は取り付けできるので、作業の手間を省くことができる。
【００７２】
次に、ロック機構７の詳細を、図２及び図５に基づき説明する。
ロック機構７は、上扉30及び下扉40の裏面側部に設けられた固定部70及び可動部80、本体キャビネット１及び交換ユニット２に設けられた突出片90とから構成されている。ここで、上扉30及び下扉40のロック機構７の構造は、基本的には同様であり、下扉40のロック機構７は、鍵穴44に所定の鍵を差し込んで解錠するようになっているが、上扉30のロック機構７は外側から解錠することができず、下扉40が開いているときにロック解除可能となっている点が異なるものである。ここでは、上扉30のロック機構７について詳述する。
【００７３】
図５は、施錠時のロック機構７を示すものである。ロック機構７は、上扉30の裏板に固定された固定部70と、固定部70に上下方向に摺動可能に取り付けられた可動部80を有する。固定部70は可動部80を支持するためのものであり、可動部80は、枠体21に設けられた突出片90に係合し上扉30と交換ユニット２とをロックし又はロック解除するためのものである。
【００７４】
ここで、突出片90は本体キャビネット１に設けることもできるが、上扉30は交換ユニット２に取り付けられていることから、交換ユニット２の交換に伴い上扉30のロック機構７と本体キャビネット１の突出片90とに微妙なズレが生じることもあり得る。これはロック部のがたつきの原因となり、このようにがたつきのある扉は工具などを使用して外部からこじ開けられないとも限らない。従って、確実にロックされるために、交換ユニット２の枠体21に設けるのが望ましいのである。
【００７５】
固定部70には、ピン73及びストッパー71が設けられており、これらで可動部80を支持している。さらに、固定部70と可動部80との間に取り付けられたバネ72が、可動部80を常に上方向に引き上げるようにはたらいており、一方可動部80には段部83が設けられ、この段部83がストッパー71に当接して可動部80を係止している。
【００７６】
そして、可動部80には、斜辺81aと溝部81bを有する係止片81が二つ設けられており、前記溝部81bに突出片90が引っかかり、かつ前記バネ72が可動部80を上方向に引っ張っているので、前扉30と交換ユニット２とがロックされた状態となっているものである。
また、前記可動部80の下端には、ロックを解除するための解除つまみ82が設けられている。この解除つまみ82を下に引っ張ると、係止片81の溝部81bから突出片90が外れ、ロックが解除される。なお、解除つまみ82は、下扉40を開けないと操作できないようになっている。
【００７７】
さらに、開いた状態の上扉30を閉めるときには、係止片81の斜辺81aが突出片90に当接し、さらに扉を閉める方向に押すと可動部80は徐々に下に下がっていく。そしてさらに扉を閉める方向に押すと、可動部80がバネ72により上方向に引っ張られているので、ついには突出片90が斜辺81aを乗り越えるような形で溝部81bに嵌り込み、係止片81は突出片90に係止される。すなわち、扉を閉めれば自動的にロックされるように形成されているのである。
【００７８】
以上のように形成されている上扉30と交換ユニット２は、交換ユニット２を本体キャビネット１に収納し固定した状態で前扉30を閉めると、本体キャビネット１の開口上部13を塞ぐことができ、同時にロックされて開口上部13を施錠することができる。
続いて、前パネル50の取り付け部分の詳細について、図６及び図７に基づき説明する。前パネル50は、遊技の説明等が書かれている場合には、遊技変更に際し変更する必要があり、遊技の説明等が書かれていない場合でも、上扉30のデザインとそろいであることが多いので、上扉30を交換するとき同時に交換する必要がある。
【００７９】
前パネル50は、図６に示すように、上部に複数の凸部51を有し、下部には複数の鉤部52が設けられている。一方、下扉40の操作部41の下方に設けられた開口部400の上枠46には、前記凸部51を嵌入可能な孔46aが、下枠47には前記鉤部52を差込可能な切欠部47aが形成されている。
そして、前パネル50を下扉40の開口部400に嵌め込む時には、まず凸部51を孔46aに嵌め入れ、それから鉤部52を切欠部47aに差し込んで押し込む。そうすると図７に示すように、鉤部52が下枠47に引っかかり、前パネル50が下扉40に固定されるものである。また、前パネル50を取り外す場合には、下扉40の裏側から鉤部52を上方に引き上げて前パネル50を正面側に押し出せば、簡単に外すことができる。
【００８０】
以上のように構成された分離型スロットマシンＳについて、遊技内容変更のための台交換は、以下のように行うことができる。
第一に、交換ユニット２のみを取り替えることができる。すなわち、下扉40を解錠してから上扉30のロックを解除し、上扉30を開いて上方向に持ち上げ係合部６を外し、枠体21から上扉30を取り外す。しかる後、固定装置10を外し交換ユニット２を取り出す。そして新たな交換ユニット２を本体キャビネット１に取り付け、先ほど外した上扉30を取り付けるものである。このような交換によれば、スロットマシンの外観をいっさい変えることなく遊技内容を変更することができる。
【００８１】
第二に、上扉30及び交換ユニット２のみを取り替えることができる。すなわち、前記した手順において、新たな交換ユニット２を本体キャビネット１に取り付けたのち、新たな上扉30を取り付けるものである。このとき、交換ユニット２と上扉30が一体に形成されていれば、作業効率がなおよい。このような交換によれば、遊技の変更に伴い回転リール23の数が変わったり、表示装置32を変更しても、上扉30の形状を同時に変えることができる。
【００８２】
第三に、上扉30及び交換ユニット２及び前パネル50のみを取り替えることができる。すなわち、前記した手順に加え、下扉40から前パネル50を取り外し、新たな前パネル50を取り付けるものである。このような交換によれば、外観上前扉30及び前パネル50が変わることにより、最低限のパーツ交換であたかも全く異なるスロットマシンをホールに配置したような効果が得られる。
【００８３】
このほか、外観のみを変化させたいときには上扉30と前パネル50のみを交換してもよいし、場合によっては前パネル50のみを交換することもできる。また、上扉30、下扉40、交換ユニット２のすべてを交換しても、遊技に直接関係のない電源ユニット４やホッパーユニット５を本体キャビネット１に残して、あたかもスロットマシンを一新したかのような効果が得られる。
【００８４】
なお、本実施の形態は、前扉が上下二分割されているものであったが、図８に示すように、前扉３が一枚に形成されているものであってもよい。この場合には、係合部６及びロック機構７の突出片90は本体キャビネット１の側板16に設けることとなる。
（第二の実施の形態）
（図面の説明）
図１３乃至図２１は、本発明の第二の実施の形態を示すものである。
【００８５】
図１３及び図１４は分離型スロットマシンを示す分解斜視図、図１５は開口孔部とガイド突起部との概略斜視図、図１６は側面ロック手段の固定装置の外観斜視図、図１７は側面ロック手段の概略平面図、図１８は底部ロック手段の概略斜視図及び概略断面図、図１９は他の形態による開口孔部とガイド突起部との概略斜視図、図２０及び図２１は支持部材の他の例を示す概略図である。
【００８６】
本実施の形態における分離型スロットマシンは、図１３に示すように、大きく分けて、正面側に開口部11を有する本体キャビネット1、本体キャビネット1内部に着脱自在に設けられる交換ユニット2、本体キャビネット1の開口上部13を開閉可能に塞ぐ上扉30、本体キャビネット1の開口下部14を開閉可能に塞ぐ下扉40とから構成されている。
【００８７】
（本体キャビネット1）
本体キャビネット1は、底板15、側板16、天板17及び裏板18からなる正面側に開口する筺体であり、高さ方向略中央部には、交換ユニット２を本体キャビネット１の開口上部13内に支持するための支持部材12が設けられている。また、底板15には電源ユニット４及びホッパーユニット５が固定されている。
【００８８】
ここで、電源ユニット4は、特に図示しないが電源装置が内装されていると共に、遊技店側が種々の設定を行うためのスイッチ等、店操作部100を有している。
上記電源ユニット4及びホッパーユニット5は、交換ユニット2の交換に際し、必ずしも交換する必要のないものであり、交換時には設置されたままにしておけるようになっているものである。
【００８９】
また、側板16の正面左側の下部には、前記下扉40を係合させ、回転自在に支持するための本体係合部62が、上下方向に間隔をおいて二つ設けられている。
さらに、本体係合部62の対向側の側板16には、下扉40を閉めた際、下扉40をロックするための突出片90（ロック機構７）が、上下方向に間隔をおいて二つ設けられている。
【００９０】
前記支持部材12は、裏板18に、水平方向に設けられた断面Ｌ字型の後方支持部材12Aと、二つの側板16の手前側に設けられた相対向する断面Ｌ字型の側方支持部材12Bとから構成されている。後方支持部材12Aは、図１３に示すように、一片を上側に向けて裏板18に固定されており、側方支持部材12Bは、一片を下側に向けて側板16の手前側に固定されている。
【００９１】
なお、側方支持部材12Bは、図１３に示したものとは逆に、一片を上方に向けて側板16に取り付けても良い。また、特に図示しないが、二つの片を支える補強プレートを所々に設けてあっても良い。
ところで、前記支持部材12は、上述した構成によるものの他に、図２０及び図２１示すような構成とすることもできる。
【００９２】
すなわち、図２０に示すように、後方支持部材12Aと側方支持部材12Bを、一体的に形成してもよい。この場合の支持部材12は、Ｌ字型の一片を上側に向けて取り付けてもよいし、下側に向けて取り付けてもよい。
さらに、図２１に示すように、支持部材12を、底板15に支持させるように形成しても良い。すなわち、支持部材12の側板16との接着面を底板15にまで延長し、側板16との接着面及び底板15との当接面により、支持部材12を支持させるものである。
【００９３】
この他にも、特に図示しないが、支持部材12を四角柱又は三角柱の角材あるいは管材により形成してもよい。
（交換ユニット2）
交換ユニット2は、種々の部品を設置あるいは固定するための支持体としての枠体21と、この枠体21に固定されたリールユニット22及び基板ユニット24とから形成されている。
【００９４】
ここで、リールユニット22は、周囲に複数の図柄を表示した複数の回転リール23と、特に図示しないが、回転リール23を回転させるための駆動モータを有している。また、前記基板ユニット24には、遊技及びスロットマシンの作動を制御するための主基板25と、各種演出を行うための副基板が含まれている。
前記枠体21の正面左側の縦枠には、前記上扉30を回転自在に係合するための枠体係合部60が、上下方向に間隔をおいて二つ設けられている。
【００９５】
さらに、枠体係合部60の対向側の縦枠には、上扉30を閉めた際、上扉30をロックするための突出片90（ロック機構７）が、上下方向に間隔をおいて二つ設けられている。
交換ユニット2は、本体キャビネット1の支持部材12の上に乗せ、開口上部13内部に収納されるものである。そして、固定装置10により本体キャビネット1に固着される。
【００９６】
（上扉30）
上扉30は、交換ユニット2の枠体21に回転自在かつロック可能に形成されている板状の扉であり、略中央部に前記回転リール23の図柄を正面側から見ることができる図柄表示窓31を有し、周囲に飾り部33を設けてある。そして、種々の表示を行うための表示装置32が設けられているものである。
【００９７】
ここで、前記飾り部33は、ランプ等により形成しても良く、入賞の報知その他の演出時にランプが点滅するようにしてもよい。また、前記表示装置32は、７セグメントＬＥＤ等により数字を表示するものや、特に図示しないが、画像を表示するための液晶画面あるいはＣＲＴなどとしてもよい。
さらに、図１４に示すように、上扉30の裏面には、前記枠体係合60部に係合可能な上扉係合部61が上下方向に間隔をおいて二つ設けられており、上扉係合部61の対向側には、ロック機構７が設けられている。
【００９８】
（下扉40）
下扉40は、本体キャビネット1の開口下部14を塞ぐための、上扉30よりも幅厚の扉であり、本体キャビネット1の側板16に回転自在かつロック可能に形成されているものである。
下扉40の上部は、スロットマシンを作動させるための操作部41となっており、下扉40の上面は、閉扉時においては、上扉30よりも前側に突出するようになっている。また、下部には払い出されたメダルを溜めておくためのメダル受け43が形成されており、下扉40の略中央部には、遊技内容その他の表示をするための前パネル50が嵌め込まれている。
【００９９】
前記操作部41としては、下扉40の上面右端にはメダル投入口42及び上面左側に設けられたベットスイッチ、正面側にはスタートスイッチ及びストップスイッチ及び鍵穴44が設けられている。なお、ベットスイッチとは、貯留メダルをメダル投入に代えるためのものであり、スタートスイッチ及びストップスイッチは、回転リール23の回転を開始及び停止させるためのものである。また、鍵穴44は、前扉3を解錠するためのものであり、この穴に所定の鍵を差し込んで回すと、下扉40のロックが解除されるものである。
【０１００】
さらに、図１４に示すように、下扉40の裏面側には、前記メダル投入口42から投入されたメダルを誘導しながらメダルの正偽を判断するためのメダルセレクター48が設けられている。そして、下扉40の裏面下部の左右には、種々の音声を出力するためのスピーカ49が設けられている。
また、下扉40の裏面には、前記本体係合部62と係合可能な下扉係合部63が上下方向に間隔をおいて二つ設けられており、下扉係合部63の対向側には、ロック機構７が設けられている。
【０１０１】
以下に、特に本実施の形態の要点となる部分について、図面に基づき詳細に説明する。
（開口孔部101及びガイド突起部102）
前記交換ユニット2には、支持部材12に向かって開口する開口孔部101が形成され、支持部材12には、交換ユニット2に向かって突出するガイド突起部102が形成されている。
【０１０２】
上記開口孔部101は、交換ユニット2の下面側の枠体21に設けて、支持部材12のガイド突起部102に向かって開口するものである。この開口孔部101は、具体的には、図１５に示すように、交換ユニット2の枠体21の下面の背面側に左右２個、前後方向に向かって表裏に貫通するものである。
上記ガイド突起部102は、裏板18に固定した後方支持部材12Aに設けて、交換ユニット2の枠体21の開口孔部101側に向かって突出して、前記開口孔部101に差し込み可能なものである。
【０１０３】
すなわち、前記後方支持部材12Aは、上方に立設する細板状の後方位置決め板107を備え、ガイド突起部102は、後方位置決め板107の前面側の左右２箇所から前方向に向かって突出する円錐状の突起部となっている。そして、このガイド突起部102が、枠体21の２個の開口孔部101に差し込み可能に設定されているものである。
【０１０４】
交換ユニット2の枠体21を支持部材12に載置する際には、枠体21の下部の背面側の枠を側方支持部材12Bの上に載置し、そのまま、側方支持部材12Bの上面を後方側に向かって押し込む。すると、後方位置決め板107から突出するガイド突起部102の先端が、枠体21の開口孔部101に入り込む。そして、そのまま枠体21を後方に押し込むことにより、枠体21が適正位置に案内されることとなる。
【０１０５】
このように、開口孔部101及びガイド突起部102により、交換ユニット2を支持部材12に載せる位置を容易に得ることができ、交換ユニット2を適正位置にまで案内することができて、交換ユニット2の取り付け作業を容易に行うことができる。
なお、開口孔部101及びガイド突起部102は、上述した位置決めの役割を果たすだけでなく、開口孔部101にガイド突起部102が嵌入することにより、交換ユニット2を支持部材12に固定する役割をも果たしている。
【０１０６】
（ロック手段120）
当該分離型スロットマシンＳは、その内部に交換ユニット2を固定するためのロック手段120を備えている。
上記ロック手段120は、図１３に示すように、交換ユニット2の両側面を固定するための側面ロック手段121と、交換ユニット2の底部を固定するための底部ロック手段122とを備えている。
【０１０７】
（側面ロック手段121）
上記側面ロック手段121は、交換ユニット2の左右側面と、本体キャビネット1の内部両側面との間に設けられているものであって、交換ユニット2の左右両側面を本体キャビネット1に固定するためのものである。
具体的には、側面ロック手段121は、図１３、図１６及び図１７に示すように、交換ユニット2の枠体21の左右に固定されているフック部130と、本体キャビネット1の内部の左右側面に固定されている固定装置10とからなるものである。
前記フック部130は、交換ユニット2の枠体21の前面側の左右の縦枠にそれぞれ固定されている。そして、このフック部130は、背面側に向かって横断面形状が鉤状に延びる金属薄板細片からなるものである。
【０１０８】
前記固定装置10は、本体キャビネット1の左右の側板16の内側にそれぞれ固定されて、前記フック部130の先端を引っかけて固定可能なものである。
具体的には、図１６に示すように、固定装置10は、交換ユニット2の内部の左右の側板16に固定される回転軸136と、この回転軸136に軸支されて回動可能である断面形状がコ字状の摺動レバー132と、この摺動レバー132の途中に開口するスライド溝137をスライド可能なピン移動体139とを備えている。そして、このピン移動体139は、前記スライド溝137に通されスライド可能な基端側ピン138と、この基端側ピン138の両端から延びるピン連結部133と、このピン連結部133の先端間に位置する先端側ピン131からなるものである。そして、基端側ピン138の中央には、回転軸136から延びるスライド棒134が通されている。そして、そのスライド棒134の周囲には、ばねが配置され、このばねが、回転軸136と基端側ピン138との間を延ばす方向に力を加えている。
【０１０９】
上記側面ロック手段121の取り扱い手順を以下に示す。
先ず、交換ユニット2を側面ロック手段121を介して本体キャビネット1に固定する場合、摺動レバー132を手前側に開いた状態でピン移動体139の先端側ピン131を、枠体21のフック部130に引っかける。そして、先端側ピン131にフック部130を引っかけた状態のまま、摺動レバー132を本体キャビネット1の側面側に向かって閉じることにより、図１７に示すように、ばねの付勢力によりフック部130を背面側に引っ張った状態を維持することができるものである。これにより、フック部130及び固定装置10を介して、交換ユニット2の枠体21を、本体キャビネット1の背面側に向かって引っ張りながら固定することができる。  一方、交換ユニット2を側面ロック手段121を介して本体キャビネット1から取り外す場合、上記手順を逆に行うことにより可能なものである。すなわち、図１７に示すような摺動レバー132が閉じた状態から、摺動レバー132を前面側に向かって開く。そして、摺動レバー132が開いた状態において、フック部130から先端側ピン131を取り外すことにより、かかるロックが解除されるものである。
【０１１０】
本実施の形態に係る側面ロック手段121は、先端側ピン131をフック部130に引っかけて、摺動レバー132を閉じるだけで、簡単にフック部130を固定装置10に固定することができ、ロック状態にすることができるものである。また、逆に、摺動レバー132を開いて、先端側ピン131をフック部130から取り外すだけで、簡単にフック部130を固定装置10から外すことができ、ロック状態を解除することができるものである。これにより、交換ユニット2の取り付け作業や、取り外し作業を、簡単なものにすることができる。
【０１１１】
（底部ロック手段122）
底部ロック手段122は、支持部材12に設けてあり、交換ユニット2の底部を、側方支持部材12Bに固定するためのものである。具体的には、底部ロック手段122は、側方支持部材12Bの手前側端部に設けた固定装置140とすることができる。
固定装置140は、図１８に示すように、側方支持部材12Bの手前側端部裏面に固定されるヒンジ部142と、ヒンジ部142に回動自在に取り付けられたアーム部141と、アーム部141の反ヒンジ部側に設けられた横長のローラ143とから構成されたクリップ部材である。
【０１１２】
前記アーム部141は、例えば鋼線を折り曲げて形成したものであり、一端は前記ヒンジ部142に回動自在に取り付けられており、もう一端はローラ143を取り付けるためのローラ取り付け部144となっている。ローラ取り付け部144は、図１８に示すように、側面から見ると交換ユニット2の内側方向に若干張り出すように形成されており、ヒンジ部142とローラ取り付け部144の間にある直線部と前記とローラ143との間に、水平方向の間隙を形成している。
【０１１３】
前記ローラ143は、合成樹脂等により形成され、回転中心に貫通孔若しくは孔が設けられている。この孔にアーム部141のローラ取り付け部が貫通若しくは両端から挿入され、ローラ143の両端部がアーム部141により支持され、回転自在に取り付けられているものである。
固定装置140は、支持部材12の手前側端部と、交換ユニット2の枠体21の前方下端部を挟み込むようにして固定する。すなわち、アーム部141を上に持ち上げて、ローラ143を交換ユニット2の内側方向に押す。そうすると、ローラ143はローラ取り付け部144の張り出し部の有する弾性により、枠体21の下枠上部を乗り越えて下枠上部の裏側まで達する。このとき、ヒンジ部142とローラ取り付け部144の間にある直線部とローラ143との間に形成された間隙に、枠体21の下枠上部が挟まれ、ヒンジ部142とローラ143とに支持されて、側方支持部材12Bの手前側端部と、交換ユニット2の枠体21の前方下端部が固定されるものである。
【０１１４】
なお、固定装置140による固定を解除する場合には、ローラ143に指をかけて手前側上方向に引けば、ローラ143が枠体21の下枠上部を乗り越えて手前側に達し、ローラ143の係合がはずれて、側方支持部材12Bの手前側端部と、交換ユニット2の枠体21の前方下端部の固定が解除される。
ここで、固定装置140を、交換ユニット2に取り付けてもよい。すなわち、図１９に示すように、枠体21の下枠上部にヒンジ部142を固定し、支持部材12の端部裏面に突起を設けて、その突起にローラ143が引っかかるように形成したものである。
【０１１５】
なお、固定装置140としては、上記構成のものに限られず、支持部材12と交換ユニット2とを固定可能な形態であれば、いかなる構成であってもかまわない。例えば、側面ロック手段121の固定装置10と同様の構成としてもよい。
このように、本実施の形態による底部ロック手段122によれば、ボルト等で手間のかかる固定作業を行うことなく、アーム部141を上に持ち上げローラ143を枠体21に引っかけるだけで、簡単に交換ユニット2の動きを制限することができ、ロック状態にすることができるものである。また、逆に、ローラ143を手前側に引っ張るだけで、簡単に交換ユニット2の拘束を解除することができ、ロック状態を解除することができるものである。これにより、交換ユニット2の取り付け作業や、取り外し作業を、簡単なものにすることができる。
【０１１６】
（第三の実施の形態）
（図面の説明）
図２２乃至図３２は、本発明の第三の実施の形態を示すものである。
図２２及び図２３は分離型スロットマシンを示す分解斜視図、図２４は上扉と交換ユニットとの係合部分の概略斜視図、図２５及び図２６はローラー及びローラーガイドの取付状態の概略側面図をそれぞれ示すものである。図２７及び図２８は、ローラー及びローラーガイドの取付状態の他の形態を示す概略側面図である。図２９乃至図３２は、支持部材の他の例を示す図である。
【０１１７】
本実施の形態における分離型スロットマシンは、図２２に示すように、大きく分けて、正面側に開口部11を有する本体キャビネット1、本体キャビネット1内部に着脱自在に設けられる交換ユニット2、本体キャビネット1を開閉可能に塞ぐ前扉3とを備えている。そして、本体キャビネット1の内部には、前記交換ユニット２支持するための支持部材12を備えている。そして、前扉3は、本体キャビネット1の支持部材12よりも上側の開口上部13を開閉自在に塞ぐ上扉30と、本体キャビネット1の支持部材12よりも下側の開口下部14を開閉自在に塞ぐ下扉40とを備えている。
【０１１８】
（本体キャビネット1）
上記本体キャビネット1は、図２２及び図２３に示すように、底板15、側板16、天板17及び裏板18からなる正面側に開口する筺体であり、高さ方向略中央部には、二つの側板16の奥行き方向にわたって相対向する断面Ｌ字型の支持部材12が設けられている。また、底板15には電源ユニット４及びホッパーユニット５が固定されている。
【０１１９】
ここで、電源ユニット4は、特に図示しないが電源装置が内装されていると共に、遊技店側が種々の設定を行うためのスイッチ等、店操作部100を有している。
上記電源ユニット4及びホッパーユニット5は、交換ユニット2の交換に際し、必ずしも交換する必要のないものであり、交換時には設置されたままにしておけるようになっているものである。
【０１２０】
また、側板16の正面左側の下部には、前記下扉40を係合させ、回転自在に支持するための本体係合部62が、上下方向に間隔をおいて二つ設けられている。
さらに、本体係合部62の対向側の側板16には、下扉40を閉めた際、下扉40をロックするための突出片90（ロック機構7）が、上下方向に間隔をおいて二つ設けられている。
【０１２１】
前記支持部材12は、交換ユニット２を本体キャビネット１の開口上部13内に支持するための載置部材であり、交換ユニット２をその上に乗せることができるように形成されている。
具体的には、図２２等に示すように、二つの側板16の奥行き方向にわたって相対向して設けられた一対の断面Ｌ字型の部材であって、Ｌ字型の一片を下方に向けて側板16に取り付けてある。なお、図示しないが、これとは逆に、一片を上方に向けて側板16に取り付けても良い。また、二つの片を支える補強プレートを所々に設けてあっても良い。
【０１２２】
そして、前記支持部材12のうち、向かって右側の支持部材12の上面には、上扉30のローラー210を案内するためのローラーガイド220である上扉用ローラーガイド221が固定されている。
そして、本体キャビネット1の開口下部14の向かって右側の側板16の内面下部には、下扉40のローラー210を案内するためのローラーガイド220である下扉用ローラーガイド222が固定されている。
【０１２３】
ところで、前記支持部材12は、上記した構成によるものの他に、図２９乃至図３１に示すような構成とすることもできる。
すなわち、図２９に示すように、支持部材12を、側板16の手前側と奥側に分離して設けることができる。
また、図３０(Ａ)(Ｂ)に示すように、支持部材12を、側板16及び裏板18に設けてもよい。図３０(Ａ)は、支持部材12として、裏板18に設ける後方支持部材12Aと、側板16に設ける側方支持部材12Bを設けたものである。図３０(Ｂ)は、前記後方支持部材12Aと側方支持部材12Bを一体的に形成したものである。このようにすれば、支持部材12が交換ユニット２の重量を分散して受けられるので、支持部材12にかかる負担を軽減し、破損等を起こしにくくすることができる。
【０１２４】
さらに、図３１に示すように、支持部材12を、底板15に支持させるように形成しても良い。すなわち、支持部材12の側板16との接着面を底板15にまで延長し、側板16との接着面及び底板15との当接面により、支持部材12を支持するものである。この場合の支持部材12は、側板16の奥行き方向にわたって設けても良いし、図２９に示すような形状としても良い。あるいは、図３０に示すような形状としてもよい。
【０１２５】
この他にも、特に図示しないが、支持部材12を四角柱又は三角柱の角材あるいは管材により形成してもよい。
（支持部材12の他の形態）
ここで、前記支持部材12を、図３２に示すように形成してもよい。すなわち、支持部材12に溝部300又は突起部310を設けて案内部材と成し、一方交換ユニット２には前記溝部300又は突起部310に係合可能な係合部320を設けたものである。
【０１２６】
図３２(Ａ)は、支持部材12に溝部300を設けた例である。この場合には、支持部材12を、側板16の奥行き方向にわたって設けた側方支持部材12Bとすると共に、交換ユニット２の底部に左右に張り出して係合部320を設け、この係合部320を支持部材12の溝部300に嵌め込み、スライドさせるようにして着脱することができる。このように形成することにより、交換ユニット２を本体キャビネット１内部に押し込む際、真っ直ぐに押し込むことができ、収納後に位置調整を行う必要がない。
【０１２７】
なお、上記した側方支持部材12Bの他に、後方支持部材12Aを設け、図３０(Ａ)に示す構成としてもよい。この場合には、後方支持部材12Aは載置部材とするのが望ましい。また、図３２(Ｂ)に示すように、支持部材12を上下に平行して二対設け、交換ユニット２の底部及び上部に係合部320を設け、交換ユニット２を上下で支持するようにしてもよい。このようにすれば、支持部材12が交換ユニット２の重量を分散して受けられるので、支持部材12にかかる負担を軽減し、破損等を起こしにくくすることができる。
【０１２８】
図３２(Ｃ)は、支持部材12に突起部310を設けた例である。この場合には、支持部材12を、側板16の奥行き方向にわたって設けた側方支持部材12Bとすると共に、交換ユニット２の底部に左右に張り出して係合部320を設け、この係合部320を支持部材12の突起部310に引っかけて、スライドさせるようにして着脱することができる。
【０１２９】
なお、特に図示しないが、支持部材12と交換ユニット２の係合部320の接触面に、ベアリング等を配置することにより、よりスムーズに収納取り出し作業を行うことができる。
（交換ユニット2）
交換ユニット2は、種々の部品を設置あるいは固定するための支持体としての四角枠状の枠体21と、この枠体21に固定されたリールユニット22及び基板ユニット24とから形成されている。
【０１３０】
ここで、リールユニット22は、周囲に複数の図柄を表示した複数の回転リール23と、特に図示しないが、回転リール23を回転させるための駆動モータを有している。また、前記基板ユニット24には、遊技及びスロットマシンの作動を制御するための主基板25と、各種演出を行うための副基板とが含まれている。
前記枠体21の正面左側の縦枠には、前記上扉30を回転自在に係合するための枠体係合部60が、上下方向に間隔をおいて二つ設けられている。
【０１３１】
さらに、枠体係合部60の対向側の縦枠には、上扉30を閉めた際、上扉30をロックするための突出片90（ロック機構7）が、上下方向に間隔をおいて二つ設けられている。
交換ユニット2は、本体キャビネット1の支持部材12の上に乗せ、開口上部13内部に収納されるものである。そして、固定装置10により本体キャビネット1に固着される。
【０１３２】
（上扉30）
上扉30は、交換ユニット2の枠体21に回転自在かつロック可能に形成されている板状の扉であり、本体キャビネット1の支持部材12の上側の開口上部13を開閉自在に塞ぐものである。そして、上扉30は、略中央部に前記回転リール23の図柄を正面側から見ることができる図柄表示窓31を有し、周囲に飾り部33を設けてある。そして、上扉30は、種々の表示を行うための表示装置32が設けられているものである。
【０１３３】
ここで、前記飾り部33は、ランプ等により形成しても良く、入賞の報知その他の演出時にランプが点滅するようにしてもよい。また、前記表示装置32は、７セグメントＬＥＤ等により数字を表示するものや、特に図示しないが、画像を表示するための液晶画面あるいはＣＲＴなどとしてもよい。
さらに、図２３に示すように、上扉30の裏面には、前記枠体係合60部に係合可能な上扉係合部61が上下方向に間隔をおいて二つ設けられており、上扉係合部61の対向側には、ロック機構7が設けられている。
【０１３４】
上記上扉30の向かって右側の下部の裏面側には、回転可能なローラー210である上扉用ローラー211が固定されている。
（下扉40）
下扉40は、本体キャビネット1の開口下部14を塞ぐための、上扉30よりも幅厚の扉であり、本体キャビネット1の側板16に回転自在かつロック可能に形成されているものである。そして、下扉40は、本体キャビネット1の支持部材12の下側の開口下部14を開閉自在に塞ぐことができるものである。
【０１３５】
下扉40の上部は、スロットマシンを作動させるための操作部41となっており、下扉40の上面は、閉じた状態においては、上扉30よりも前側に突出するようになっている。また、下部には払い出されたメダルを溜めておくためのメダル受け43が形成されており、下扉40の略中央部には、遊技内容その他の表示をするための前パネル50が嵌め込まれている。
【０１３６】
前記操作部41としては、下扉40の上面右端にはメダル投入口42及び上面左側に設けられたベットスイッチ、正面側にはスタートスイッチ及びストップスイッチ及び鍵穴44が設けられている。なお、ベットスイッチとは、貯留メダルをメダル投入に代えるためのものであり、スタートスイッチ及びストップスイッチは、回転リール23の回転を開始及び停止させるためのものである。また、鍵穴44は、下扉40を解錠するためのものであり、この穴に所定の鍵を差し込んで回すと、下扉40のロックが解除されるものである。
【０１３７】
さらに、図２３に示すように、下扉40の裏面側には、前記メダル投入口42から投入されたメダルを誘導しながらメダルの正偽を判断するためのメダルセレクター48が設けられている。そして、下扉40の裏面下部の左右には、種々の音声を出力するためのスピーカ49が設けられている。
また、下扉40の裏面には、前記本体係合部62と係合可能な下扉係合部63が上下方向に間隔をおいて二つ設けられており、下扉係合部63の対向側には、ロック機構7が設けられている。
そして、上記下扉40の向かって右側の下部の裏面側には、回転可能なローラー210である下扉用ローラー212が固定されている。
【０１３８】
（上扉30と交換ユニット2の係合）
交換ユニット2の枠体係合部60は、図２４に示すように、枠体21の縦枠から正面側に突出する張り出し部65と、この張り出し部65の先端に設けられたピン67とからなり、縦枠に上下方向に一定の間隔を置いて並設されている。
一方、上扉30の裏面には、水平方向に突出する板状の張り出し部66にピン穴68を有する上扉係合部61が、前記枠体係合部60に対応するように設けられている。この上扉係合部61は、ピン穴68を前記ピン67に向かって下方向から挿入すると、板状の張り出し部66がピン67の段差部分に引っかかり、枠体係合部60と回転自在に係合されるものである。
【０１３９】
ところで、上扉30と交換ユニット2は、枠体係合部60と上扉係合部61とを固着しないで分離可能としてもよいが、係合部6を予め固定しておくようにしても良い。すなわち、搬送時、取り付け時において、上扉30と交換ユニット2を一体にして扱えるようにするものである。というのは、遊技の変更に伴い、例えば回転リール23の数を変更したり、表示装置32の種類を変更する場合もあり、このようなときには上扉30の形状も変える必要があるので、上扉30と交換ユニット2は同時に交換される頻度が高いのである。このように形成すれば、台交換の際、上扉30と交換ユニット2を同時に取り外し又は取り付けできるので、作業の手間を省くことができる。
【０１４０】
次に、ロック機構7の詳細を、図２３及び図２５に基づき説明する。
ロック機構7は、上扉30及び下扉40の裏面側部に設けられた固定部70及び可動部80、本体キャビネット1及び交換ユニット2に設けられた突出片90とから構成されている。ここで、上扉30及び下扉40のロック機構7の構造は、基本的には同様であり、下扉40のロック機構7は、鍵穴44に所定の鍵を差し込んで解錠するようになっているが、上扉30のロック機構7は外側から解錠することができず、下扉40が開いているときにロック解除可能となっている点が異なるものである。ここでは、上扉30のロック機構7について詳述する。
【０１４１】
図２５は、施錠時のロック機構7を示すものである。ロック機構7は、上扉30の裏板に固定された固定部70と、固定部70に上下方向に摺動可能に取り付けられた可動部80を有する。固定部70は可動部80を支持するためのものであり、可動部80は、枠体21に設けられた突出片90に係合し上扉30と交換ユニット2とをロックし又はロック解除するためのものである。
【０１４２】
ここで、突出片90は本体キャビネット1に設けることもできるが、上扉30は交換ユニット2に取り付けられていることから、交換ユニット2の交換に伴い上扉30のロック機構7と本体キャビネット1の突出片90とに微妙なズレが生じることもあり得る。これはロック部のがたつきの原因となり、このようにがたつきのある扉は工具などを使用して外部からこじ開けられないとも限らない。従って、確実にロックされるために、交換ユニット2の枠体21に設けるのが望ましいのである。
【０１４３】
固定部70には、上下二カ所にピン73及びストッパー71が設けられており、これらで可動部80を支持している。さらに、固定部70と可動部80との間に取り付けられたバネ72が、可動部80を常に上方向に引き上げるようにはたらいており、一方可動部80には段部83が設けられ、この段部83が上部にあるストッパー71に当接して可動部80を係止している。
【０１４４】
そして、可動部80には、斜辺81aと溝部81bを有する係止片81が二つ設けられており、前記溝部81bに突出片90が引っかかり、かつ前記バネ72が可動部80を上方向に引っ張っているので、上扉30と交換ユニット2とがロックされた状態となっているものである。
また、前記可動部80の下端には、ロックを解除するための解除つまみ82が設けられている。この解除つまみ82を下に引っ張ると、係止片81の溝部81bから突出片90が外れ、ロックが解除されるものである。なお、解除つまみ82は、下扉40を開けないと操作できないようになっている。
【０１４５】
さらに、開いた状態の上扉30を閉めるときには、係止片81の斜辺81aが突出片90の下端に当接し、さらに扉を閉める方向に押すと突出片90の下端が係止片81の斜辺81aを押し、可動部80は徐々に下方に下がっていく。そして、さらに扉を閉める方向に押すと、可動部80はバネ72により上方向に引っ張られているので、ついには突出片90が斜辺81aを乗り越えるような形で溝部81bに嵌り込み、係止片81は突出片90に係止される。すなわち、扉を閉めれば自動的にロックされるように形成されているのである。
【０１４６】
以上のように形成されている上扉30と交換ユニット2は、交換ユニット2を本体キャビネット1に収納し固定した状態で上扉30を閉めると、本体キャビネット1の開口上部13を塞ぐことができ、同時にロックされて開口上部13を施錠することができる。
（ローラー210）
上記ローラー210は、全体形状が略円板状であって、回転軸を中心として、回転可能に形成されているものである。なお、このローラー210は、上下方向に可動することはなく、上扉30又は下扉40の裏面の予め設定された所定の上下方向の位置に固定されているものである。
上記ローラー210は、その取り付け位置により、以下の２つに分類される。
【０１４７】
（１）上扉用ローラー211
（２）下扉用ローラー212
なお、ローラー210は、上記の二つに限定されるものではない。さらに、前扉3が３つ以上に分割されているような場合は、それに対応する個数、形成するようにしても良いものである。
【０１４８】
（上扉用ローラー211）
上記上扉用ローラー211は、図２２、図２３及び図２５に示すように、上扉30の向かって右側の下部の裏面側に固定されているローラー210である。
（下扉用ローラー212）
上記下扉用ローラー212は、図２２、図２３及び図２５に示すように、下扉40の向かって右側の下部の裏面側に固定されているローラー210である。
【０１４９】
（ローラーガイド220）
上記ローラーガイド220は、上扉30又は下扉40の開閉方向に沿ってローラー210を案内するとともに支持可能に形成されているものである。上記ローラーガイド220は、前記ローラー210が転がり可能な金属細片からなるものである。そして、ローラーガイド220の前面側には、下方に向かって僅かに折り曲げられた折り曲げ部223が形成されている。この折り曲げ部223は、ローラー210をローラーガイド220の上面に滑らかに導くためのものである。すなわち、上扉30又は下扉40を閉じる際、先ず、ローラー210が折り曲げ部223に当接し、その後、ローラー210が折り曲げ部223の上面を転がりながら、ローラーガイド220本体の上面まで案内されるものである。
【０１５０】
上記ローラーガイド220は、その取り付け位置により、以下の二つに分類される。
（１）上扉用ローラーガイド221
（２）下扉用ローラーガイド222
なお、ローラーガイド220は、上記の二つに限定されるものではない。さらに、前扉3が３つ以上に分割されているような場合は、それに対応する個数、形成するようにしても良いものである。
【０１５１】
（上扉用ローラーガイド221）
上記上扉用ローラーガイド221は、上扉用ローラー211を案内するためのものであって、本体キャビネット1の開口上部13の内部に設けてあるものである。  具体的には、図２２、図２３及び図２５に示すように、上扉用ローラーガイド221は、本体キャビネット1の開口上部13の向かって右側の支持部材12の上面に固定されている。そして、上扉用ローラーガイド221は、上扉30の開閉方向に沿って上扉用ローラー211を案内するとともに支持可能に形成されている。
【０１５２】
本実施の形態によれば、上扉30の下部に固定された上扉用ローラー211が、支持部材12の上面に形成された上扉用ローラーガイド221の上を転がりながら移動することができる。このため、上扉30により本体キャビネット1の支持部材12の上側の開口上部13を開閉する際、上扉30と支持部材12との間の摩擦抵抗を抑えることができ、スムーズに上扉30を開方向又は閉方向に移動させることができる。
【０１５３】
また、上扉用ローラーガイド221は、上扉用ローラー211を案内するとともに支持している。このため、上扉用ローラー211を有する上扉30を、上扉用ローラーガイド221を有する支持部材12の上下方向の適正位置に配置することができる。これにより、上扉用ローラー211を上扉用ローラーガイド221に載せるだけで、上扉30の上下方向の位置決め作業を終了させることができる。これらにより、上扉30の取付作業や、その後の開閉作業を確実且つ容易に行うことができる。
【０１５４】
（下扉用ローラーガイド222）
上記下扉用ローラーガイド222は、下扉用ローラー212を案内するためのものであって、本体キャビネット1の開口下部14の内部に設けてあるものである。  具体的には、図２２、図２３及び図２６に示すように、下扉用ローラーガイド222は、本体キャビネット1の開口下部14の向かって右側の側板16の内面下部に固定されている。そして、下扉用ローラーガイド222は、下扉40の開閉方向に沿って下扉用ローラー212を案内するとともに支持可能に形成されている。
【０１５５】
本実施の形態によれば、下扉40の下部に固定された下扉用ローラー212が、本体キャビネット1の内面に形成された下扉用ローラーガイド222の上を転がりながら移動することができる。このため、下扉40により本体キャビネット1の支持部材12の下側の開口下部14を開閉する際、下扉40と本体キャビネット1との間の摩擦抵抗を抑えることができ、スムーズに下扉40を開方向又は閉方向に移動させることができる。
【０１５６】
また、下扉用ローラーガイド222は、下扉用ローラー212を案内するとともに支持している。このため、下扉用ローラー212を有する下扉40を、下扉用ローラーガイド222を有する本体キャビネット1の上下方向の適正位置に配置することができる。これにより、下扉用ローラー212を下扉用ローラーガイド222に載せるだけで、下扉40の上下方向の位置決め作業を終了させることができる。
【０１５７】
これらにより、下扉40の取付作業や、その後の開閉作業を確実且つ容易に行うことができる。
（分離型スロットマシンSの交換手順）
以上のように構成された分離型スロットマシンSについて、遊技内容変更のための台交換は、以下のように行うことができる。
【０１５８】
第一に、交換ユニット2のみを取り替えることができる。すなわち、下扉40を解錠してから上扉30のロックを解除し、上扉30を開いて上方向に持ち上げ係合部６を外し、枠体21から上扉30を取り外す。しかる後、固定装置10を外し交換ユニット2を取り出す。そして新たな交換ユニット2を本体キャビネット1に取り付け、先ほど外した上扉30を取り付けるものである。このような交換によれば、スロットマシンの外観をいっさい変えることなく遊技内容を変更することができる。
【０１５９】
第二に、上扉30及び交換ユニット2のみを取り替えることができる。すなわち、上記した手順において、新たな交換ユニット2を本体キャビネット1に取り付けたのち、新たな上扉30を取り付けるものである。このとき、交換ユニット2と上扉30が一体に形成されていれば、作業効率がなおよいものである。このような交換によれば、遊技の変更に伴い回転リール23の数が変わったり、表示装置32を変更しても、上扉30の形状を同時に変えることができる。
【０１６０】
第三に、上扉30、交換ユニット2及び前パネル50のみを取り替えることができる。すなわち、上記した手順に加え、下扉40から前パネル50を取り外し、新たな前パネル50を取り付けるものである。このような交換によれば、外観上上扉30及び前パネル50が変わることにより、最低限のパーツ交換であたかも全く異なるスロットマシンをホールに配置したような効果が得られる。
【０１６１】
このほか、外観のみを変化させたいときには上扉30と前パネル50のみを交換してもよいし、場合によっては前パネル50のみを交換することもできる。また、上扉30、下扉40、交換ユニット2のすべてを交換しても、遊技に直接関係のない電源ユニット4やホッパーユニット5を本体キャビネット1に残して、あたかもスロットマシンを一新したかのような効果が得られる。
【０１６２】
（他の実施の形態１）
ところで、ローラー及びローラーガイド221の取付状態を、図２７に示すように形成してもよい。すなわち、第三の実施の形態で説明した分離型スロットマシンSの上扉用ローラーガイド221の取り付け位置が異なるものである。
なお、その他の構成は、第三の実施の形態と同一であるため、説明を省略する。
【０１６３】
（上扉用ローラーガイド221）
本実施の形態では、上扉用ローラーガイド221を、支持部材12の上面に載置した交換ユニット2に形成したものである。具体的には、図２７に示すように、本実施の形態に係る上扉用ローラーガイド221は、交換ユニット2の支持体としての枠体21に、形成されているものである。そして、上扉用ローラーガイド221は、上扉30の開閉方向に沿って上扉用ローラー211を案内するとともに支持可能に形成されているものである。すなわち、上扉用ローラーガイド221は、交換ユニット2の枠体21の向かって右側下部に固定されているものである。そして、交換ユニット2の枠体21を支持部材12の上面に載置して固定することにより、上扉用ローラーガイド221も、本体キャビネット1の開口上部13の内部に固定されるものである。
【０１６４】
本実施の形態によれば、支持体としての枠体21を有する交換ユニット2を本体キャビネット1の支持部材12上面に固定した際、上扉30の下部に固定された上扉用ローラー211が、交換ユニット2の枠体21に設けた上扉用ローラーガイド221の上を転がりながら移動することができる。このため、上扉30により本体キャビネット1の支持部材12の上側の開口上部13を開閉する際、上扉30と枠体21との間の摩擦抵抗を抑えることができ、スムーズに上扉30を開方向又は閉方向に移動させることができる。
【０１６５】
また、上扉用ローラーガイド221は、上扉用ローラー211を案内するとともに支持している。このため、上扉用ローラー211を有する上扉30を、上扉用ローラーガイド221を有する枠体21の上下方向の適正位置に配置することができる。これにより、上扉用ローラー211を上扉用ローラーガイド221に載せるだけで、上扉30の上下方向の位置決め作業を終了させることができる。
【０１６６】
これらにより、上扉30の取付作業や、その後の開閉作業を確実且つ容易に行うことができる。
また、本実施の形態は、上扉用ローラーガイド221を、交換ユニット2の支持体としての枠体21に直接、固定している。このため、上扉用ローラーガイド221を本体キャビネット1や支持部材12に固定するものと比較して、上扉用ローラー211を設けた上扉30と、上扉用ローラーガイド221を設けた交換ユニット2との上下方向の位置精度を、向上させることができる。これにより、上扉30と、交換ユニット2内部の回転リール23を有するリールユニット22との位置精度を、向上させることができ、回転リール23を上扉30に対して正確な位置に配置することができる。したがって、分離型スロットマシンSの正面から見て、上扉30の表示窓31の内部に、回転リール23を予め予定した適正な位置に正確に配置することができ、回転リール23の位置が表示窓31からずれることを回避することができる。
【０１６７】
（他の実施の形態２）
さらに、ローラー及びローラーガイドの取付状態は、図２８に示すように形成することもできる。すなわち、第三の実施の形態に係る分離型スロットマシンの上扉用ローラーガイド221の取り付け位置が異なるものである。
なお、その他の構成は、第三の実施の形態と同一であるため、説明を省略する。
【０１６８】
（上扉用ローラーガイド221）
本実施の形態では、上扉用ローラーガイド221を、本体キャビネット1の内面に形成したものである。具体的には、図２８に示すように、本実施の形態に係る上扉用ローラーガイド221は、本体キャビネット1の内面に、上扉30の開閉方向に沿って上扉用ローラー211を案内するとともに支持可能なものである。すなわち、上扉用ローラーガイド221は、本体キャビネット1の右側の側板16の開口上部13の内面下部に、ねじ等の締結部材を介して固定されているものである。
【０１６９】
本実施の形態によれば、上扉30の下部に固定された上扉用ローラー211が、本体キャビネット1の右側の側板16の開口上部13の内面下部に形成された上扉用ローラーガイド221の上を転がりながら移動することができる。このため、上扉30により本体キャビネット1の支持部材12の上側の開口上部13を開閉する際、上扉30と本体キャビネット1との間の摩擦抵抗を抑えることができ、スムーズに上扉30を開方向又は閉方向に移動させることができる。
【０１７０】
また、上扉用ローラーガイド221は、上扉用ローラー211を案内するとともに支持している。このため、上扉用ローラー211を有する上扉30を、上扉用ローラーガイド221を有する本体キャビネット1の上下方向の適正位置に配置することができる。これにより、上扉用ローラー211を上扉用ローラーガイド221に載せるだけで、上扉30の上下方向の位置決め作業を終了させることができる。
【０１７１】
これらにより、上扉30の取付作業や、その後の開閉作業を確実且つ容易に行うことができる。
（第四の実施の形態）
（図面の説明）
図３３乃至図４２は、本発明の第四の実施の形態を示すものである。
【０１７２】
図３３及び図３４は分離型スロットマシンを示す分解斜視図、図３５及び図３６はロック機構７を示す断面図、図３７はスロットマシンの外観正面図、図３８はホールコンピュータによる解錠管理の概略図を示す図である。図３９乃至図４２は、支持部材の他の例を示す図である。
本実施の形態における分離型スロットマシンは、図３３に示すように、大きく分けて、正面側に開口部11を有する本体キャビネット１、本体キャビネット１内部に着脱自在に設けられる交換ユニット２、本体キャビネット１の開口上部13を開閉可能に塞ぐ上扉30、本体キャビネット１の開口下部14を開閉可能に塞ぐ下扉40とから構成されている。
【０１７３】
（本体キャビネット１）
本体キャビネット１は、底板15及び側板16及び天板17及び裏板18からなる正面側に開口する筺体であり、高さ方向略中央部には、二つの側板16の奥行き方向にわたって相対向する断面Ｌ字型の支持部材12が設けられている。また、底板15には電源ユニット４及びホッパーユニット５が固定されている。
【０１７４】
ここで、電源ユニット４は、特に図示しないが電源装置が内装されていると共に、遊技店側が種々の設定を行うためのスイッチ等、店操作部100を有している。
上記電源ユニット４及びホッパーユニット５は、交換ユニット２の交換に際し、必ずしも交換する必要のないものであり、交換時には設置されたままにしておけるようになっているものである。
【０１７５】
また、側板16の正面左側の下部には、前記下扉40を係合させ、回転自在に支持するための本体係合部62が、上下方向に間隔をおいて二つ設けられている。
さらに、本体係合部62の対向側の側板16には、下扉40を閉めた際、下扉40をロックするための突出片90（ロック機構７）が、上下方向に間隔をおいて二つ設けられている。
【０１７６】
前記支持部材12は、交換ユニット２を本体キャビネット１の開口上部13内に支持するための載置部材であり、交換ユニット２をその上に乗せることができるように形成されている。
具体的には、図３３等に示すように、二つの側板16の奥行き方向にわたって相対向して設けられた一対の断面Ｌ字型の部材であって、Ｌ字型の一片を下方に向けて側板16に取り付けてある。なお、図示しないが、これとは逆に、一片を上方に向けて側板16に取り付けても良い。また、二つの片を支える補強プレートを所々に設けてあっても良い。
【０１７７】
また、前記支持部材12は、上記した構成によるものの他に、図３９乃至図４１に示すような構成とすることもできる。
すなわち、図３９に示すように、支持部材12を、側板16の手前側と奥側に分離して設けることができる。
また、図４０(Ａ)(Ｂ)に示すように、支持部材12を、側板16及び裏板18に設けてもよい。図４０(Ａ)は、支持部材12として、裏板18に設ける後方支持部材12Aと、側板16に設ける側方支持部材12Bを設けたものである。図４０(Ｂ)は、前記後方支持部材12Aと側方支持部材12Bを一体的に形成したものである。このようにすれば、支持部材12が交換ユニット２の重量を分散して受けられるので、支持部材12にかかる負担を軽減し、破損等を起こしにくくすることができる。
【０１７８】
さらに、図４１に示すように、支持部材12を、底板15に支持させるように形成しても良い。すなわち、支持部材12の側板16との接着面を底板15にまで延長し、側板16との接着面及び底板15との当接面により、支持部材12を支持するものである。この場合の支持部材12は、側板16の奥行き方向にわたって設けても良いし、図３９に示すような形状としても良い。あるいは、図４０に示すような形状としてもよい。
【０１７９】
この他にも、特に図示しないが、支持部材12を四角柱又は三角柱の角材あるいは管材により形成してもよい。
（支持部材12の他の形態）
ところで、前記支持部材12を、図４２に示すように形成してもよい。すなわち、支持部材12に溝部300又は突起部310を設けて案内部材と成し、一方交換ユニット２には前記溝部300又は突起部310に係合可能な係合部320を設けたものである。
【０１８０】
図４２(Ａ)は、支持部材12に溝部300を設けた例である。この場合には、支持部材12を、側板16の奥行き方向にわたって設けた側方支持部材12Bとすると共に、交換ユニット２の底部に左右に張り出して係合部320を設け、この係合部320を支持部材12の溝部300に嵌め込み、スライドさせるようにして着脱することができる。このように形成することにより、交換ユニット２を本体キャビネット１内部に押し込む際、真っ直ぐに押し込むことができ、収納後に位置調整を行う必要がない。
【０１８１】
なお、上記した側方支持部材12Bの他に、後方支持部材12Aを設け、図４０(Ａ)に示す構成としてもよい。この場合には、後方支持部材12Aは載置部材とするのが望ましい。また、図４２(Ｂ)に示すように、支持部材12を上下に平行して二対設け、交換ユニット２の底部及び上部に係合部320を設け、交換ユニット２を上下で支持するようにしてもよい。このようにすれば、支持部材12が交換ユニット２の重量を分散して受けられるので、支持部材12にかかる負担を軽減し、破損等を起こしにくくすることができる。
【０１８２】
図４２(Ｃ)は、支持部材12に突起部310を設けた例である。この場合には、支持部材12を、側板16の奥行き方向にわたって設けた側方支持部材12Bとすると共に、交換ユニット２の底部に左右に張り出して係合部320を設け、この係合部320を支持部材12の突起部310に引っかけて、スライドさせるようにして着脱することができる。
【０１８３】
なお、特に図示しないが、支持部材12と交換ユニット２の係合部320の接触面に、ベアリング等を配置することにより、よりスムーズに収納取り出し作業を行うことができる。
（交換ユニット２）
交換ユニット２は、種々の部品を設置あるいは固定するための支持体としての枠体21と、この枠体21に固定されたリールユニット22及び基板ユニット24とから形成されている。
【０１８４】
ここで、リールユニット22は、周囲に複数の図柄を表示した複数の回転リール23と、特に図示しないが、回転リール23を回転させるための駆動モータを有している。また、前記基板ユニット24には、遊技及びスロットマシンの作動を制御するための主基板と、各種演出を行うための副基板が含まれている。
前記枠体21の正面左側の縦枠には、前記上扉30を回転自在に係合するための枠体係合部60が、上下方向に間隔をおいて二つ設けられている。
【０１８５】
さらに、枠体係合部60の対向側の縦枠には、上扉30を閉めた際、上扉30をロックするための突出片90（ロック機構７）が、上下方向に間隔をおいて二つ設けられている。
交換ユニット２は、本体キャビネット１の支持部材12の上に乗せ、開口上部13内部に収納されるものである。そして、固定装置10により本体キャビネット１に固着される。
【０１８６】
（上扉30）
上扉30は、交換ユニット２の枠体21に回転自在かつロック可能に形成されている板状の扉であり、略中央部に前記回転リール23の図柄を正面側から見ることができる図柄表示窓31を有し、周囲に飾り部33を設けてある。そして、種々の表示を行うための表示装置32が設けられているものである。
【０１８７】
ここで、前記飾り部33は、ランプ等により形成しても良く、入賞の報知その他の演出時にランプが点滅するようにしてもよい。また、前記表示装置32は、７セグメントＬＥＤ等により数字を表示するものや、特に図示しないが、画像を表示するための液晶画面あるいはＣＲＴなどとしてもよい。
さらに、図３４に示すように、上扉30の裏面には、前記枠体係合60部に係合可能な上扉係合部61が上下方向に間隔をおいて二つ設けられており、上扉係合部61の対向側には、ロック機構７が設けられている。
【０１８８】
（下扉40）
下扉40は、本体キャビネット１の開口下部14を塞ぐための、上扉30よりも幅厚の扉であり、本体キャビネット１の側板16に回転自在かつロック可能に形成されているものである。
下扉40の上部は、スロットマシンを作動させるための操作部41となっており、下扉40の上面は、閉扉時においては、上扉30よりも前側に突出するようになっている。また、下部には払い出されたメダルを溜めておくためのメダル受け43が形成されており、下扉40の略中央部には、遊技内容その他の表示をするための前パネル50が嵌め込まれている。
【０１８９】
前記操作部41としては、下扉40の上面右端にはメダル投入口42及び上面左側に設けられたベットスイッチ、正面側にはスタートスイッチ及びストップスイッチ及び鍵穴44が設けられている。なお、ベットスイッチとは、貯留メダルをメダル投入に代えるためのものであり、スタートスイッチ及びストップスイッチは、回転リール23の回転を開始及び停止させるためのものである。また、鍵穴44は、前扉３を解錠するためのものであり、この穴に所定の鍵を差し込んで回すと、下扉40のロックが解除されるものである。
【０１９０】
さらに、図３４に示すように、下扉40の裏面側には、前記メダル投入口42から投入されたメダルを誘導しながらメダルの正偽を判断するためのメダルセレクター48が設けられている。そして、下扉40の裏面下部の左右には、種々の音声を出力するためのスピーカ49が設けられている。
また、下扉40の裏面には、前記本体係合部62と係合可能な下扉係合部63が上下方向に間隔をおいて二つ設けられており、下扉係合部63の対向側には、ロック機構７が設けられている。
【０１９１】
（ロック機構７）
ここで、特に本発明の要点となるロック機構７の詳細について、図面に基づき説明する。
ロック機構７は、図３５又は図３６に示すように、上扉30及び下扉40の裏面側部に設けられた固定部70及び可動部80、本体キャビネット１及び交換ユニット２に設けられた突出片90とから構成されている。
【０１９２】
まず、上扉30のロック機構７について、図３５に基づき詳述する。
図３５は、施錠時のロック機構７を示すものである。ロック機構７は、上扉30の裏板に固定された固定部70と、固定部70に上下方向に摺動可能に取り付けられた可動部80を有する。固定部70は可動部80を支持するためのものであり、可動部80は、枠体21に設けられた突出片90に係合し上扉30と交換ユニット２とをロックし又はロック解除するためのものである。
【０１９３】
ここで、突出片90は本体キャビネット１に設けることもできるが、上扉30は交換ユニット２に取り付けられていることから、交換ユニット２の交換に伴い上扉30のロック機構７と本体キャビネット１の突出片90とに微妙なズレが生じることもあり得る。これはロック部のがたつきの原因となり、このようにがたつきのある扉は工具などを使用して外部からこじ開けられないとも限らない。従って、確実にロックされるために、交換ユニット２の枠体21に設けるのが望ましいのである。
【０１９４】
固定部70には、ピン73及びストッパー71が設けられており、これらで可動部80を支持している。さらに、固定部70と可動部80との間に取り付けられたバネ72が、可動部80を常に上方向に引き上げるようにはたらいており、一方可動部80には段部83が設けられ、この段部がストッパー71に当接して可動部80を係止している。
【０１９５】
そして、可動部80には、斜辺81aと溝部81bを有する係止片81が二つ設けられており、前記溝部81bに突出片90が引っかかり、かつ前記バネ72が可動部80を上方向に引っ張っているので、前扉30と交換ユニット２とがロックされた状態となっているものである。
また、前記可動部80の下端には、ロックを解除するための解除つまみ82が設けられている。解除つまみ82は、上扉30の下面よりも下方に突出しており、この解除つまみ82を下に引っ張ると、係止片81の溝部81bから突出片90が外れ、ロックが解除される。なお、解除つまみ82は、下扉40を開けないと操作できないようになっているが、これについては後述する。
【０１９６】
さらに、開いた状態の上扉30を閉めるときには、係止片81の斜辺81aが突出片90に当接し、さらに扉を閉める方向に押すと可動部80は徐々に下に下がっていく。そしてさらに扉を閉める方向に押すと、可動部80がバネ72により上方向に引っ張られているので、ついには突出片90が斜辺81aを乗り越えるような形で溝部81bに嵌り込み、係止片81は突出片90に係止される。すなわち、扉を閉めれば自動的にロックされるように形成されているのである。
【０１９７】
以上のように形成されている上扉30と交換ユニット２は、交換ユニット２を本体キャビネット１に収納し固定した状態で前扉30を閉めると、本体キャビネット１の開口上部13を塞ぐことができ、同時にロックされて開口上部13を施錠することができる。
次に、下扉40のロック機構７について、図３６に基づき詳述する。ここで、下扉40のロック機構７の構造は、基本的には上扉30のものと同様であるので、詳細の重複する部分は説明を省略し、上扉30と異なる部分の詳細を説明する。
【０１９８】
図３６は、施錠時のロック機構７の上部を示すものである。下扉40のロック機構７は、上扉30のロック機構７の下端にある解除つまみ82が無い代わりに、鍵穴44に所定の鍵を差し込んで解錠するようになっている。
鍵穴44の内部には、特に図示しないが、所定の鍵を差し込むと嵌り合う溝を有する解錠用鍵と、解錠用鍵から扉内側に向かって延びる解錠用シャフト45が設けられている。そして、解錠用シャフト45の先端には、突起部を有する解錠用カム45aが形成されている。一方、可動部80の上端部は突出片84となっており、この突出片84には開口部85が設けられている。さらに、開口部85には、前記解錠用カム45aの突起が係止されている。この状態で、本体キャビネット１の側壁16に設けられた突出片90が係止片81の溝部81bに嵌り込み、下扉40と本体キャビネット１とがロックされている。
【０１９９】
このロックを解除するときは、鍵穴44に所定の鍵を差し込んで所定方向に回すと、前記解錠用シャフト45の先端に設けられた解錠用カム45aが、図２７における矢印方向に回転する。このとき、開口部85に係止されている解錠用カム45aの突起が可動部80を押し下げ、係止片81の溝部81bから突出片90が外れ、ロックが解除される。
【０２００】
なお下扉40も、上扉30同様に、扉を閉めれば自動的にロックされるように形成されているものである。
（ロック管理）
つぎに、上記構成を有する分離型スロットマシンＳのロック管理について、図３７を用いて説明する。図３７は、分離型スロットマシンＳの外観正面図であり、図３７（Ａ）は前扉３を閉めた状態、図３７（Ｂ）は、下扉40を開けた状態をそれぞれ示すものである。
【０２０１】
まず、図３７（Ａ）に示すように、閉扉時において、上扉30のロック機構７の解除つまみ82は、扉内部に隠れてしまっているので、分離型スロットマシンＳの外側から操作可能な解錠手段は、鍵穴44のみである。従って、所定の鍵を用いて下扉40を開けることはできるが、下扉40が施錠されている状態で上扉30を開けることはできない。
【０２０２】
また、図３７（Ｂ）に示すように、下扉40を解錠して開くと、上扉30のロック機構７の解除つまみ82が操作可能となる。従って、上扉30を解錠するには、下扉40を開けて、解除つまみ82を引き下げてロックを解除しなければならない。
このように、下扉40の鍵がなければ上扉30を解錠できないので、下扉40の鍵の使用を管理することにより、基板等の一般人には手を触れられたくない部品をガードすることができる。ただし、この構成によれば、下扉40が開いてしまえば上扉30も簡単に解錠することができる。
【０２０３】
そこで、さらにロック管理を厳重に行う場合には、下扉40が解錠されても、それだけでは上扉30を開けることができないように形成することができる。
例えば、上扉30の解除つまみ82を操作するための別の鍵を設け、この鍵は例えばホールマネージャー等の特定の人しか取り扱えないように管理するものである。しかし、この場合は、鍵を複数設けなければならない。
【０２０４】
その他のロック管理として、遊技場の集中管理システムによるものとすることができる。すなわち、図３８に示すように、スロットマシンの上扉30のロック機構７をホールコンピュータの管理下におき、ホールコンピュータにより上扉30の解錠をおこなうものである。
具体的には、特に図示しないが、上扉30のロック機構７を所定の解錠指令によりロック解除可能に形成し、各スロットマシンのロック機構７をロック解除手段と接続する。そして、このロック解除手段をホールコンピュータの操作盤により操作し、所定の台の上扉30を解錠できるようにしたものである。
【０２０５】
このように形成することにより、たとえ下扉40が開いていても、上扉30はホールコンピュータでロック解除しないかぎり開けることができず、より厳重に重要部品をガードすることができる。ちなみに、下扉40については、内部には電源ユニット４やホッパーユニット５など、店の従業員が操作する必要が多いものが収納されているので、外部から解錠可能にしておくほうが好ましいが、下扉40についてもコンピュータ管理としてもかまわない。
【０２０６】
（第五の実施の形態）
（図面の説明）
図４３乃至図５０は、本発明の第五の実施の形態を示すものである。
図４３及び図４４は、本実施の形態に係る分離型スロットマシンを示す分解斜視図、図４５及び図４６は、上扉及び下扉の要部を示す側面断面図である。図４７乃至図５０は、支持部材の他の例を示す図である。
【０２０７】
（分離型スロットマシン）
図４３に示すように、本実施の形態に係る分離型スロットマシンは、大きく分けて、正面側に開口部11を有する本体キャビネット1と、本体キャビネット1の内部に着脱自在に設けられる交換ユニット2と、本体キャビネット1の開口部11を開閉自在に塞ぐ前扉3とから構成されている。
【０２０８】
また、前扉3は、本体キャビネット1の開口部11のうち上側部分（開口上部13）を開閉自在に塞ぐ上扉30と、本体キャビネット1の開口部11のうち下側部分（開口下部14）を開閉自在に塞ぐ下扉40とから構成されている。
（本体キャビネット1）
本体キャビネット1は、底板15、側板16、天板17及び裏板18から構成され、正面側には開口部11を有する筺体である。また、この本体キャビネット1の高さ方向ほぼ中央には、二つの側板16の奥行き方向にわたって相対向する断面Ｌ字型の支持部材12が設けられている。また、底板15には電源ユニット４及びホッパーユニット５が固定されている。
【０２０９】
ここで、電源ユニット4は、特に図示しないが電源装置が内装されているとともに、遊技店側が種々の設定を行うための店操作部100が設けられている。
また、ホッパーユニット5は、投入されたメダルを貯留しておくとともに、入賞によりメダルを払い出すためのものである。
また、電源ユニット4及びホッパーユニット5は、交換ユニット2の交換に際して、必ずしも交換する必要がないため、本体キャビネット1に固定したままにすることができるようになっている。
【０２１０】
また、側板16の正面左側の下部には、下扉40を係合させ、回転自在に支持するための係合部6としての本体係合部62が、上下方向に間隔をおいて二つ設けられている。
更に、本体係合部62の対向側の側板16には、下扉40を閉めた際、下扉40をロックするためのロック機構7としての突出片90が、上下方向に間隔をおいて二つ設けられている。
【０２１１】
前記支持部材12は、交換ユニット２を本体キャビネット１の開口上部13内に支持するための載置部材であり、交換ユニット２をその上に乗せることができるように形成されている。
具体的には、図４３等に示すように、二つの側板16の奥行き方向にわたって相対向して設けられた一対の断面Ｌ字型の部材であって、Ｌ字型の一片を下方に向けて側板16に取り付けてある。なお、図示しないが、これとは逆に、一片を上方に向けて側板16に取り付けても良い。また、二つの片を支える補強プレートを所々に設けてあっても良い。
【０２１２】
また、前記支持部材12は、上記した構成によるものの他に、図４７乃至図４９に示すような構成とすることもできる。
すなわち、図４７に示すように、支持部材12を、側板16の手前側と奥側に分離して設けることができる。
また、図４８(Ａ)(Ｂ)に示すように、支持部材12を、側板16及び裏板18に設けてもよい。図４８(Ａ)は、支持部材12として、裏板18に設ける後方支持部材12Aと、側板16に設ける側方支持部材12Bを設けたものである。図４８(Ｂ)は、前記後方支持部材12Aと側方支持部材12Bを一体的に形成したものである。このようにすれば、支持部材12が交換ユニット２の重量を分散して受けられるので、支持部材12にかかる負担を軽減し、破損等を起こしにくくすることができる。
【０２１３】
さらに、図４９に示すように、支持部材12を、底板15に支持させるように形成しても良い。すなわち、支持部材12の側板16との接着面を底板15にまで延長し、側板16との接着面及び底板15との当接面により、支持部材12を支持するものである。この場合の支持部材12は、側板16の奥行き方向にわたって設けても良いし、図４７に示すような形状としても良い。あるいは、図４８に示すような形状としてもよい。
【０２１４】
この他にも、特に図示しないが、支持部材12を四角柱又は三角柱の角材あるいは管材により形成してもよい。
（支持部材12の他の形態）
ところで、前記支持部材12を、図５０に示すように形成してもよい。すなわち、支持部材12に溝部300又は突起部310を設けて案内部材と成し、一方交換ユニット２には前記溝部300又は突起部310に係合可能な係合部320を設けたものである。
【０２１５】
図５０(Ａ)は、支持部材12に溝部300を設けた例である。この場合には、支持部材12を、側板16の奥行き方向にわたって設けた側方支持部材12Bとすると共に、交換ユニット２の底部に左右に張り出して係合部320を設け、この係合部320を支持部材12の溝部300に嵌め込み、スライドさせるようにして着脱することができる。このように形成することにより、交換ユニット２を本体キャビネット１内部に押し込む際、真っ直ぐに押し込むことができ、収納後に位置調整を行う必要がない。
【０２１６】
なお、上記した側方支持部材12Bの他に、後方支持部材12Aを設け、図４８(Ａ)に示す構成としてもよい。この場合には、後方支持部材12Aは載置部材とするのが望ましい。また、図５０(Ｂ)に示すように、支持部材12を上下に平行して二対設け、交換ユニット２の底部及び上部に係合部320を設け、交換ユニット２を上下で支持するようにしてもよい。このようにすれば、支持部材12が交換ユニット２の重量を分散して受けられるので、支持部材12にかかる負担を軽減し、破損等を起こしにくくすることができる。
【０２１７】
図５０(Ｃ)は、支持部材12に突起部310を設けた例である。この場合には、支持部材12を、側板16の奥行き方向にわたって設けた側方支持部材12Bとすると共に、交換ユニット２の底部に左右に張り出して係合部320を設け、この係合部320を支持部材12の突起部310に引っかけて、スライドさせるようにして着脱することができる。
【０２１８】
なお、特に図示しないが、支持部材12と交換ユニット２の係合部320の接触面に、ベアリング等を配置することにより、よりスムーズに収納取り出し作業を行うことができる。
（交換ユニット2）
交換ユニット2は、種々の部品を設置あるいは固定するための支持体としての枠体21と、この支持体としての枠体21に固定されたリールユニット22と、基板ユニット24とから構成されている。
【０２１９】
ここで、リールユニット22は、周囲に複数の図柄を表示した複数の回転リール23と、特に図示しないが、回転リール23を回転させるための駆動モータとを有している。
また、基板ユニット24には、遊技及びスロットマシンの作動を制御するための主基板と、各種演出を行うための副基板とが含まれている。
【０２２０】
また、枠体21の正面左側の縦枠には、上扉30を回転自在に係合するための係合部6としての枠体係合部60が、上下方向に間隔をおいて二つ設けられている。
更に、枠体係合部60の対向側の縦枠には、上扉30を閉めた際、上扉30をロックするためのロック機構7としての突出片90が、上下方向に間隔をおいて二つ設けられている。
【０２２１】
そして、交換ユニット2は、本体キャビネット1の支持部材12の上に載置され、開口上部13内部に収納される。そして、この交換ユニット2は、固定装置10により、本体キャビネット1に固着される。
（前扉3）
前扉3は、本体キャビネット1の開口部11を開塞自在に塞ぐためのものでありる。この前扉3を閉めると、分離型スロットマシンの正面構造となる。また、この前扉3は、本体キャビネット1の開口部11のうち上側部分（開口上部13）を開閉自在に塞ぐ上扉30と、本体キャビネット1の開口部11のうち下側部分（開口下部14）を開閉自在に塞ぐ下扉40とから構成されている。
【０２２２】
（上扉30）
上扉30は、本体キャビネット1の開口上部13を開閉自在に塞ぐためのものである。この上扉30は、板状の扉であり、交換ユニット2の枠体21に回転自在かつロック可能に形成されている。また、この上扉30のほぼ中央部には、前記回転リール23の図柄を正面側から見ることができる図柄表示窓31が設けられ、また、この上扉30の周囲には、飾り部33が設けられ、また、この上扉30の正面下部には、種々の表示を行うための表示装置32が設けられている。
【０２２３】
ここで、飾り部33は、ランプ等により形成してもよく、また、入賞の報知その他の演出時にランプが点滅するようにしてもよい。
また、表示装置32は、７セグメントＬＥＤ等により数字を表示するものや、特に図示しないが、例えば、画像を表示するための液晶画面あるいはＣＲＴなどとしてもよい。
【０２２４】
また、図４４に示すように、上扉30の裏面には、枠体係合60部に係合可能な係合部6としての上扉係合部61が上下方向に間隔をおいて二つ設けられており、また、上扉係合部61の対向側には、ロック機構7が設けられている。
また、図４４乃至図４６に示すように、上扉30の下扉40側端部には、下扉40の上扉30側端部の裏面にまで達する隠し部34が設けられている。
【０２２５】
また、上扉30は、主にプラスチックによって形成されているとともに、隠し部34は、金属によって形成されている。そして、隠し部34の上扉30への固定は、ビス及び接着剤等を用いて行われている。
（下扉40）
下扉40は、本体キャビネット1の開口下部14を開閉自在に塞ぐためのものである。この下扉40は、上扉30よりも幅厚の扉であり、本体キャビネット1の側板16に回転自在かつロック可能に形成されている。また、この下扉40の上面は、閉扉時には、上扉30よりも前側に突出するように形成されている。また、この下扉40の上部には、スロットマシンを作動させるための操作部41が設けられ、また、この下扉40のほぼ中央部には、遊技内容その他の表示をするための前パネル50が嵌め込まれ、また、この下扉40の下部には、払い出されたメダルを溜めておくためのメダル受け43が形成されている。
【０２２６】
また、操作部41としては、下扉40の上面右側には、メダル投入口42が設けられ、また、下扉40の上面左側には、ベットスイッチが設けられ、また、下扉40の正面上部には、スタートスイッチ、ストップスイッチ及び鍵穴44が設けられている。
なお、ベットスイッチとは、貯留メダルをメダル投入に代えるためのものであり、また、スタートスイッチとは、回転リール23の回転を開始させるためのものであり、また、ストップスイッチとは、回転リール23の回転を停止させるためのものである。
【０２２７】
また、鍵穴44は、前扉3を解錠するためのものである。すなわち、この穴に所定の鍵を差し込んで回すと、下扉40のロックが解除されるのである。
更に、図４４に示すように、下扉40の裏面には、前記メダル投入口42から投入されたメダルを誘導しながらメダルの正偽を判断するためのメダルセレクター48が設けられている。また、下扉40の裏面下部の左右には、種々の音声を出力するためのスピーカ49が設けられている。
【０２２８】
また、下扉40の裏面には、本体係合部62と係合可能な係合部6としての下扉係合部63が上下方向に間隔をおいて二つ設けられており、下扉係合部63の対向側には、ロック機構7が設けられている。
（交換ユニット2等の交換）
次に、本実施の形態に係る分離型スロットマシンSにおける、交換ユニット2等の交換について簡単に説明する。
【０２２９】
第一に、本実施の形態に係る分離型スロットマシンSは、交換ユニット2のみを取り替えることができる。すなわち、下扉40を解錠してから上扉30のロックを解除し、その後、枠体21から上扉30を取り外す。その後、固定装置10を外し、本体キャビネット1から交換ユニット2を取り出す。そして、新たな交換ユニット2を本体キャビネット1に取り付け、先ほど外した上扉30を、新たな交換ユニット2の枠体21に取り付ける。このような交換によれば、スロットマシンの外観をいっさい変えることなく、遊技内容を変更することができる。
【０２３０】
第二に、本実施の形態に係る分離型スロットマシンSは、上扉30及び交換ユニット2の二点のみを取り替えることができる。すなわち、上記した第一の手順において、新たな交換ユニット2を本体キャビネット1に取り付けた後、新たな交換ユニット2の枠体21に、新たな上扉30を取り付ける。このとき、交換ユニット2と上扉30とが一体的に形成されていれば、作業効率がなおよい。このような交換によれば、遊技の変更に伴い、回転リール23の数が変わったり、表示装置32を変更しても、上扉30のデザインを同時に変えることができる。
【０２３１】
第三に、本実施の形態に係る分離型スロットマシンSは、上扉30、交換ユニット2及び前パネル50の三点のみを取り替えることができる。すなわち、上記した第二の手順に加え、下扉40から前パネル50を取り外し、そこに新たな前パネル50を取り付ける。このような交換によれば、前扉30のデザインが変わることにより、最低限のパーツ交換で、あたかも全く異なるスロットマシンをホールに配置したような効果が得られる。
【０２３２】
以上説明したように、本実施の形態に係る分離型スロットマシンSは、前扉3を上下に二分割して、上扉30と下扉40とによって構成することにより、交換ユニット2の交換を容易にするとともに、上扉30の下扉40側端部に、下扉40の上扉30側端部の裏面にまで達する隠し部34を設けることにより、上扉40と下扉30との間の隙間をクランク状にし、これにより、上扉30と下扉40との間の隙間からドライバー等の工具等を挿入されにくくして、主基板等にいたずら等をされにくくしているのである。
【０２３３】
更に、本実施の形態に係る分離型スロットマシンSは、隠し部34を金属によって形成することにより、隠し部34を変形しにくくし、これにより、上扉30と下扉40との間の隙間からドライバー等の工具等をより一層挿入されにくくして、主基板等にいたずら等をより一層されにくくしているのである。
なお、本実施の形態では、上扉30は、主にプラスチックによって形成されるとともに、隠し部34は、金属によって形成されるとした。また、隠し部34の上扉30への固定は、ビス及び接着剤等を用いて行われるとした。すなわち、上扉30と隠し部34とは別個に形成されるものとした。
【０２３４】
ただ、図４６に示すように、上扉30と隠し部34とは一体的に形成することもできる。具体的には、例えば、金属材料を用いて、プレス加工等により、上扉30と隠し部34とを一体的に形成することができる。また、例えば、プラスチック材料を用いて、射出成形等により、上扉30と隠し部34とを一体的に形成することもできる。
【０２３５】
そして、上扉30と隠し部34とを一体的に形成することにより、分離型スロットマシンの製造工程を減らすことができ、また、隠し部34が上扉30から外れないようにすることもできる。また、隠し部34が上扉30から外れなければ、上扉30と下扉40との間の隙間からドライバー等の工具等をより一層挿入されにくくすることができ、これによっても、主基板等にいたずら等をより一層されにくくすることができるのである。
【０２３６】
また、本実施の形態では、隠し部34を設けていることにより、下扉40を閉じた状態において、上扉30のみを開けようとしても、隠し部34が下扉40の上扉側端部の裏面に当たって、上扉30のみを開けることはできない。これにより、基板ユニット24等を有する本体キャビネット1の上部を、よりいっそう保護することができる。
【０２３７】
（第六の実施の形態）
（図面の説明）
図５１乃至図５７は、本発明の第六の実施の形態を示すものである。
図５１及び図５２は、本実施の形態に係る分離型スロットマシンを示す分解斜視図、図５３及び図５４は、図５５乃至図５７は、支持部材の他の例を示す図である。
【０２３８】
本実施の形態における分離型スロットマシンは、図５１に示すように、大きく分けて、正面側に開口部11を有する本体キャビネット１、本体キャビネット１内部に着脱自在に設けられる交換ユニット２、本体キャビネット１の開口上部13を開閉可能に塞ぐ上扉30、本体キャビネット１の開口下部14を開閉可能に塞ぐ下扉40とから構成されている。
【０２３９】
（本体キャビネット１）
本体キャビネット１は、底板15及び側板16及び天板17及び裏板18からなる正面側に開口する筺体であり、高さ方向略中央部には、二つの側板16の奥行き方向にわたって相対向する断面Ｌ字型の支持部材12が一対設けられている。また、底板15には電源ユニット４及びホッパーユニット５が固定されている。さらに、天板17には、交換ユニット２を収納又は取り出しする際に、奥行き方向の摺動を補助するためのガイドレール510（収納ガイド手段500）が設けられている。
【０２４０】
ここで、電源ユニット４は、特に図示しないが電源装置が内装されていると共に、遊技店側が種々の設定を行うためのスイッチ等、店操作部100を有している。
上記電源ユニット４及びホッパーユニット５は、交換ユニット２の交換に際し、必ずしも交換する必要のないものであり、交換時には設置されたままにしておけるようになっているものである。
【０２４１】
また、側板16の正面左側の下部には、前記下扉40を係合させ、回転自在に支持するための本体係合部62が、上下方向に間隔をおいて二つ設けられている。
さらに、本体係合部62の対向側の側板16には、下扉40を閉めた際、下扉40をロックするための突出片90（ロック機構７）が、上下方向に間隔をおいて二つ設けられている。
【０２４２】
前記支持部材12は、交換ユニット２を本体キャビネット１の開口上部13内に支持するための載置部材であり、交換ユニット２をその上に乗せることができるように形成されている。
具体的には、図５１等に示すように、二つの側板16の奥行き方向にわたって相対向して設けられた一対の断面Ｌ字型の部材であって、Ｌ字型の一片を下方に向けて側板16に取り付けてある。なお、図示しないが、これとは逆に、一片を上方に向けて側板16に取り付けても良い。また、二つの片を支える補強プレートを所々に設けてあっても良い。
【０２４３】
また、前記支持部材12は、上記した構成によるものの他に、図５５乃至図５７に示すような構成とすることもできる。
すなわち、図５５に示すように、支持部材12を、側板16の手前側と奥側に分離して設けることができる。
また、図５６(Ａ)(Ｂ)に示すように、支持部材12を、側板16及び裏板18に設けてもよい。図５６(Ａ)は、支持部材12として、裏板18に設ける後方支持部材12Aと、側板16に設ける側方支持部材12Bを設けたものである。図５６(Ｂ)は、前記後方支持部材12Aと側方支持部材12Bを一体的に形成したものである。このようにすれば、支持部材12が交換ユニット２の重量を分散して受けられるので、支持部材12にかかる負担を軽減し、破損等を起こしにくくすることができる。
【０２４４】
さらに、図５７に示すように、支持部材12を、底板15に支持させるように形成しても良い。すなわち、支持部材12の側板16との接着面を底板15にまで延長し、側板16との接着面及び底板15との当接面により、支持部材12を支持するものである。この場合の支持部材12は、側板16の奥行き方向にわたって設けても良いし、図５５に示すような形状としても良い。あるいは、図５６に示すような形状としてもよい。
【０２４５】
この他にも、特に図示しないが、支持部材12を四角柱又は三角柱の角材あるいは管材により形成してもよい。
（交換ユニット2）
交換ユニット2は、種々の部品を設置あるいは固定するための支持体としての枠体21と、この支持体としての枠体21に固定されたリールユニット22と、基板ユニット24とから構成されている。
【０２４６】
ここで、リールユニット22は、周囲に複数の図柄を表示した複数の回転リール23と、特に図示しないが、回転リール23を回転させるための駆動モータとを有している。
また、基板ユニット24には、遊技及びスロットマシンの作動を制御するための主基板と、各種演出を行うための副基板とが含まれている。
【０２４７】
また、枠体21の正面左側の縦枠には、上扉30を回転自在に係合するための係合部6としての枠体係合部60が、上下方向に間隔をおいて二つ設けられている。
更に、枠体係合部60の対向側の縦枠には、上扉30を閉めた際、上扉30をロックするためのロック機構7としての突出片90が、上下方向に間隔をおいて二つ設けられている。
【０２４８】
そして、交換ユニット2は、本体キャビネット1の支持部材12の上に載置され、開口上部13内部に収納される。そして、この交換ユニット2は、固定装置10により、本体キャビネット1に固着される。
（前扉3）
前扉3は、本体キャビネット1の開口部11を開塞自在に塞ぐためのものでありる。この前扉3を閉めると、分離型スロットマシンの正面構造となる。また、この前扉3は、本体キャビネット1の開口部11のうち上側部分（開口上部13）を開閉自在に塞ぐ上扉30と、本体キャビネット1の開口部11のうち下側部分（開口下部14）を開閉自在に塞ぐ下扉40とから構成されている。
【０２４９】
（上扉30）
上扉30は、本体キャビネット1の開口上部13を開閉自在に塞ぐためのものである。この上扉30は、板状の扉であり、交換ユニット2の枠体21に回転自在かつロック可能に形成されている。また、この上扉30のほぼ中央部には、前記回転リール23の図柄を正面側から見ることができる図柄表示窓31が設けられ、また、この上扉30の周囲には、飾り部33が設けられ、また、この上扉30の正面下部には、種々の表示を行うための表示装置32が設けられている。
【０２５０】
ここで、飾り部33は、ランプ等により形成してもよく、また、入賞の報知その他の演出時にランプが点滅するようにしてもよい。
また、表示装置32は、７セグメントＬＥＤ等により数字を表示するものや、特に図示しないが、例えば、画像を表示するための液晶画面あるいはＣＲＴなどとしてもよい。
【０２５１】
また、図５２に示すように、上扉30の裏面には、枠体係合60部に係合可能な係合部6としての上扉係合部61が上下方向に間隔をおいて二つ設けられており、また、上扉係合部61の対向側には、ロック機構7が設けられている。
（下扉40）
下扉40は、本体キャビネット1の開口下部14を開閉自在に塞ぐためのものである。この下扉40は、上扉30よりも幅厚の扉であり、本体キャビネット1の側板16に回転自在かつロック可能に形成されている。また、この下扉40の上面は、閉扉時には、上扉30よりも前側に突出するように形成されている。また、この下扉40の上部には、スロットマシンを作動させるための操作部41が設けられ、また、この下扉40のほぼ中央部には、遊技内容その他の表示をするための前パネル50が嵌め込まれ、また、この下扉40の下部には、払い出されたメダルを溜めておくためのメダル受け43が形成されている。
【０２５２】
また、操作部41としては、下扉40の上面右側には、メダル投入口42が設けられ、また、下扉40の上面左側には、ベットスイッチが設けられ、また、下扉40の正面上部には、スタートスイッチ、ストップスイッチ及び鍵穴44が設けられている。
なお、ベットスイッチとは、貯留メダルをメダル投入に代えるためのものであり、また、スタートスイッチとは、回転リール23の回転を開始させるためのものであり、また、ストップスイッチとは、回転リール23の回転を停止させるためのものである。
【０２５３】
また、鍵穴44は、前扉3を解錠するためのものである。すなわち、この穴に所定の鍵を差し込んで回すと、下扉40のロックが解除されるのである。
更に、図５２に示すように、下扉40の裏面には、前記メダル投入口42から投入されたメダルを誘導しながらメダルの正偽を判断するためのメダルセレクター48が設けられている。また、下扉40の裏面下部の左右には、種々の音声を出力するためのスピーカ49が設けられている。
【０２５４】
また、下扉40の裏面には、本体係合部62と係合可能な係合部6としての下扉係合部63が上下方向に間隔をおいて二つ設けられており、下扉係合部63の対向側には、ロック機構7が設けられている。
（収納ガイド手段500）
収納ガイド手段500は、交換ユニット２を収納又は取り出しする際に、奥行き方向の摺動を補助するためのものである。具体的には、図５１に示すように、本体キャビネット１の天板17に設けられた二本のガイドレール510と、交換ユニット２の上面に設けられたガイドローラ520を有するローラ支持部材530とから構成されている。
【０２５５】
前記ガイドレール510は、天板17の下面に、奥行き方向にわたって平行して一対設けられている。前記ローラ支持部材530は、交換ユニット２の上面に設けられており、前記ガイドレール510のレール上をガイドローラ520が摺動可能に形成されている。
具体的には、図５３に示すような形状とすることができる。
【０２５６】
すなわち、図５３(Ａ)に示すように、ガイドレール510は下面に長手方向にわたって設けられた切欠部511を有する断面方形の管材であり、一方交換ユニット２にはガイドレール510の内部に嵌入可能な張り出し部531及びこの張り出し部531下方に設けられた立ち上がり部532を有するローラ支持部材530が設けられている。そして、前記張り出し部531の下面には、複数個のガイドローラ520が横方向水平に軸着されている。
【０２５７】
そして、前記張り出し部531をガイドレール510の内部に嵌入すると、立ち上がり部532が切欠部511の間に挟まれ、ローラ支持部材530とガイドレール510との奥行き方向の摺動が可能になるとともに、張り出し部531の下面に設けられたガイドローラ520が、ガイドレール510の内側と接触し、ローラ支持部材530とガイドレール510との摩擦抵抗を軽減する。
【０２５８】
なお、図５３(Ｂ)に示すように、ガイドレール510を、垂下片512とこの垂下片512から横方向に張り出したレール部513とから構成し、ローラ支持部材530の張り出し部531は、立ち上がり部532の上部から横方向に張り出すように形成し、前記張り出し部531の先端にガイドローラ520を設けるようにしてもよい。
また、以上は天板17にガイドレール510を、交換ユニット２にガイドローラ520及びローラ支持部材530を設けるように形成したものであるが、これとは逆に、天板17にガイドローラ520及びローラ支持部材530を、交換ユニット２にガイドレール510を設けるように形成してもよい（図５４参照）。
【０２５９】
図５４(Ａ)及び(Ｃ)は、ガイドレール510を、交換ユニット２の側面に取り付けた例であり、図５４(Ｂ)は、ガイドレール510を、交換ユニット２の上面に取り付けた例である。
ここで、収納ガイド手段500と、支持部材12との関係であるが、支持部材12は、収納ガイド手段500のガイドレール510とガイドローラ520が接触した状態で、ちょうど交換ユニット２が支持部材12に載置されるような高さ位置よりも、ほんの僅か下方に取り付けられている。この僅かな距離は、具体的には、交換ユニット２の重量を収納ガイド手段500全体が吸収可能な上下方向のたわみの距離とするのがのぞましい。
【０２６０】
このように形成することにより、支持部材12を載置した際には、交換ユニット２の重量を、ガイドレール510とガイドローラ520の接触部分も担うこととなり、支持部材12及び収納ガイド手段500の双方で交換ユニット２を支持することとなる。従って、交換ユニット２を摺動させる際には、スムーズに移動させられるとともに、交換ユニット２を載置した時には、交換ユニット２を確実に支持できるものである。
【０２６１】
ただし、図５４(Ｃ)に示した場合には、ガイドローラ520が交換ユニット２の側面に設けられたガイドレール510に接触して、交換ユニット２を押し込む際の左右のぶれを補正する役割を果たすものとなる。
なお、前記ローラ支持部材530は、図５１に示すように交換ユニット２の上面に奥行き方向にわたって連続していてもよいし、交換ユニット２上面の前後端部に一対ずつ二組設けてもよい。あるいは、奥行き方向にわたって複数組設けてもよい。さらに、交換ユニット２の上面に設けると共に、交換ユニット２の側面に設けるようにしてもよい。
【０２６２】
以上、本発明の実施の形態として、第一の実施の形態から第六の実施の形態に分けて述べてきたが、分離型スロットマシンSとしては、上記したすべての実施の形態に記載した構成を備えているものであってもよく、上記実施の形態のうち、いずれかの実施の形態に記載した構成を備えているものであってもよい。さらには、上記実施の形態のうち、いずれかの実施の形態に記載した構成を複数組み合わせて有しているものであってもよい。
【０２６３】
【発明の効果】
本発明は、以上のように構成されているので、以下に記載されるような効果を奏する。
すなわち、本発明によれば、分離型スロットマシンのうち遊技を担当する部分のみを交換可能とし、交換の必要のない部分はそのまま残しておくことができる。従って、省資源、リサイクルに貢献でき、一部交換で済むことから交換作業の効率がよく機能的であるとともに、交換費用がかからず経済性にも優れた分離型スロットマシンを提供することができる。
【図面の簡単な説明】
【図１】
本発明の第一の実施の形態であって、分離型スロットマシンの分解斜視図である。
【図２】
本発明の第一の実施の形態であって、分離型スロットマシンの、本体から前扉３を外した分解斜視図である。
【図３】
本発明の第一の実施の形態であって、上扉と交換ユニットの係合部部分の詳細を示す斜視図である。
【図４】
本発明の第一の実施の形態であって、上扉と交換ユニットの係合部部分の詳細を示す斜視図である。
【図５】
本発明の第一の実施の形態であって、ロック機構の概略を示す断面図である。
【図６】
本発明の第一の実施の形態であって、前パネルの下扉への取り付けを示す斜視図である。
【図７】
本発明の第一の実施の形態であって、前パネルの取り付け状態を示す断面図である。
【図８】
本発明の第一の実施の形態であって、分離型スロットマシンの他の例を示す斜視図である。
【図９】
本発明の第一の実施の形態であって、支持部材の他の例を示す概略図である。
【図１０】
本発明の第一の実施の形態であって、支持部材の他の例を示す概略図である。
【図１１】
本発明の第一の実施の形態であって、支持部材の他の例を示す概略図である。
【図１２】
本発明の第一の実施の形態であって、支持部材の他の例を示す概略図である。
【図１３】
本発明の第二の実施の形態であって、分離型スロットマシンの分解斜視図である。
【図１４】
本発明の第二の実施の形態であって、分離型スロットマシンの本体から前扉を外した分解斜視図である。
【図１５】
本発明の第二の実施の形態であって、開口孔部とガイド突起部とを示す概略斜視図である。
【図１６】
本発明の第二の実施の形態であって、側面ロック手段の固定装置を示す外観斜視図である。
【図１７】
本発明の第二の実施の形態であって、側面ロック手段を示す概略平面図である。
【図１８】
本発明の第二の実施の形態であって、底部ロック手段を示す概略断面図及び概略斜視図である。
【図１９】
本発明の第二の実施の形態であって、他の形態による開口孔部とガイド突起部とを示す概略斜視図である。
【図２０】
本発明の第二の実施の形態であって、支持部材の他の例を示す概略図である。
【図２１】
本発明の第二の実施の形態であって、支持部材の他の例を示す概略図である。
【図２２】
本発明の第三の実施の形態であって、分離型スロットマシンの分解斜視図である。
【図２３】
本発明の第三の実施の形態であって、分離型スロットマシンの本体から前扉を外した分解斜視図である。
【図２４】
本発明の第三の実施の形態であって、上扉と交換ユニットとの係合部分の概略斜視図を示す概略斜視図である。
【図２５】
本発明の第三の実施の形態であって、上扉用ローラー及び上扉用ローラーガイドの取付状態の概略側面図である。
【図２６】
本発明の第三の実施の形態であって、下扉用ローラー及び下扉用ローラーガイドの取付状態の概略側面図である。
【図２７】
本発明の第三の実施の形態であって、上扉用ローラー及び上扉用ローラーガイドの取付状態の他の例を示す概略側面図である。
【図２８】
本発明の第三の実施の形態であって、上扉用ローラー及び上扉用ローラーガイドの取付状態の他の例を示す概略側面図である。
【図２９】
本発明の第三の実施の形態であって、支持部材の他の例を示す概略図である。
【図３０】
本発明の第三の実施の形態であって、支持部材の他の例を示す概略図である。
【図３１】
本発明の第三の実施の形態であって、支持部材の他の例を示す概略図である。
【図３２】
本発明の第三の実施の形態であって、支持部材の他の例を示す概略図である。
【図３３】
本発明の第四の実施の形態であって、分離型スロットマシンの分解斜視図である。
【図３４】
本発明の第四の実施の形態であって、分離型スロットマシンの、本体から前扉３を外した分解斜視図である。
【図３５】
本発明の第四の実施の形態であって、上扉のロック機構の概略を示す断面図である。
【図３６】
本発明の第四の実施の形態であって、下扉のロック機構の概略を示す断面図である。
【図３７】
本発明の第四の実施の形態であって、分離型スロットマシンの外観正面図である。
【図３８】
本発明の第四の実施の形態であって、コンピュータによるロック管理システムの概略を示す図である。
【図３９】
本発明の第四の実施の形態であって、支持部材の他の例を示す概略図である。
【図４０】
本発明の第四の実施の形態であって、支持部材の他の例を示す概略図である。
【図４１】
本発明の第四の実施の形態であって、支持部材の他の例を示す概略図である。
【図４２】
本発明の第四の実施の形態であって、支持部材の他の例を示す概略図である。
【図４３】
本発明の第五の実施の形態であって、分離型スロットマシンの分解斜視図である。
【図４４】
本発明の第五の実施の形態であって、分離型スロットマシンの、本体から前扉３を外した分解斜視図である。
【図４５】
本発明の第五の実施の形態であって、分離型スロットマシンの上扉及び下扉の要部を示す側面断面図である。
【図４６】
本発明の第五の実施の形態であって、分離型スロットマシンの上扉及び下扉の要部についての他の例を示す側面断面図である。
【図４７】
本発明の第五の実施の形態であって、支持部材の他の例を示す概略図である。
【図４８】
本発明の第五の実施の形態であって、支持部材の他の例を示す概略図である。
【図４９】
本発明の第五の実施の形態であって、支持部材の他の例を示す概略図である。
【図５０】
本発明の第五の実施の形態であって、支持部材の他の例を示す概略図である。
【図５１】
本発明の第六の実施の形態であって、分離型スロットマシンの分解斜視図である。
【図５２】
本発明の第六の実施の形態であって、分離型スロットマシンの、本体から前扉３を外した分解斜視図である。
【図５３】
本発明の第六の実施の形態であって、収納ガイド手段を示す概略図である。
【図５４】
本発明の第六の実施の形態であって、収納ガイド手段を示す概略図である。
【図５５】
本発明の第六の実施の形態であって、支持部材の他の例を示す概略図である。
【図５６】
本発明の第六の実施の形態であって、支持部材の他の例を示す概略図である。
【図５７】
本発明の第六の実施の形態であって、支持部材の他の例を示す概略図である。
【符号の説明】
Ｓ  分離型スロットマシン            １  本体キャビネット
２  交換ユニット                    ３  前扉
４  電源ユニット                    ５  ホッパーユニット
６  係合部                          ７  ロック機構
８  電源装置                        ９  操作装置
10  固定装置                        11  開口部
12  支持部材                        13  開口上部
14  開口下部                        15  底板
16  側板                            17  天板
18  裏板
21  支持体としての枠体              22  リールユニット
23  回転リール                      24  基板ユニット
25  主基板
30  上扉                            31  表示窓
32  表示装置                        33  飾り部
34  隠し部
40  下扉                            41  操作部
42  メダル投入口                    43  メダル受け
44  鍵穴                            45  解錠用シャフト
45a 解錠用カム
46  上枠                            47  下枠
46a 孔                              47a 切欠部
48  メダルセレクター                49  スピーカ
50  前パネル                        51  凸部
52  鉤部
60  枠体係合部                      61  上扉係合部
62  本体係合部                      63  下扉係合部
65  張り出し部                      66  張り出し部
67  ピン                            68  ピン穴
70  固定部                          71  ストッパー
72  ばね                            73  ピン
80  可動部                          81  係止片
81a 斜辺                            81b 溝部
82  解除つまみ                      83  段部
84  突出片                          85  開口部
90  突出片
100 店操作部
101 開口孔部
102 ガイド突起部                    107 後方位置決め板
120 ロック手段                      121 側面ロック手段
122 底部ロック手段                  130 フック部
131 先端側ピン                      132 摺動レバー
133 ピン連結部                      134 スライド棒
135 ばね                            136 回転軸
137 スライド溝                      138 基端側ピン
139 ピン移動体
140 固定装置                        141 アーム部
142 ヒンジ部                        143 ローラ
144 ローラ取り付け部
150 支持部材                        151 板材
152 取り付けレール
160 凸部                            161 取り付け突起
200 電源スイッチ
210 ローラー
211 上扉用ローラー                  212 下扉用ローラー
220 ローラーガイド                  221 上扉用ローラーガイド
222 下扉用ローラーガイド            223 折り曲げ部
230 設定変更スイッチ
300 溝部                            310 突起部
320 係合部
400 開口部
500 収納ガイド手段                  510 ガイドレール
520 ガイドローラ                    530 ローラ支持部材